(57)【要約】【課題】宅配ボックス装置に関する情報を確認しながら電子商取引サイト上で商品を購入することができる情報提示方法及びサーバを提供する。【解決手段】インターネット上で商品を販売する電子商取引サイトに提示する情報を管理するＥＣサイト管理サーバ１は、電子商取引サイトを利用するユーザを識別するための識別情報を取得するユーザ情報取得部１１３と、取得された識別情報に対応付けられており、ユーザに関連する所定の場所に設けられた、電子商取引サイトで購入した商品を受け取るための宅配ボックス装置に関する情報を特定する宅配ボックスサイズ取得部１１６と、特定された宅配ボックス装置に関する情報を電子商取引サイト上でユーザに提示するＥＣサイト表示制御部１１１とを備える。【選択図】図２
2020080197.tif 000002
【特許請求の範囲】
【請求項１】
インターネット上で商品を販売する電子商取引サイトに提示する情報を管理するサーバの情報提示方法であって、
前記電子商取引サイトを利用するユーザを識別するための識別情報を取得し、
取得された前記識別情報に対応付けられており、前記ユーザに関連する所定の場所に設けられた、前記電子商取引サイトで購入した商品を受け取るための宅配ボックス装置に関する情報を特定し、
前記電子商取引サイトで販売している商品の配送時の大きさに関する配送サイズ情報を取得し、
前記宅配ボックス装置に関する情報は、前記宅配ボックス装置の収納庫の大きさに関する宅配ボックスサイズ情報を含み、
前記電子商取引サイト上に現在表示されている画面から、前記商品に関する情報を表示する画面へ遷移させる遷移指示を前記ユーザから受け付けた際に、前記宅配ボックスサイズ情報と、前記商品の前記配送サイズ情報と、過去に前記ユーザにより購入が指示され購入予定となっている少なくとも１つの他の商品の前記配送サイズ情報とに基づいて、前記宅配ボックス装置の前記収納庫に前記商品及び前記少なくとも１つの他の商品の全てが収納可能であるか否かを判断し、
特定された前記宅配ボックス装置に関する情報を前記電子商取引サイト上で前記ユーザに提示する、
情報提示方法。
【請求項２】
前記電子商取引サイト上の商品を検索するための検索画面から、検索結果を表示するための検索結果画面へ遷移させる遷移指示を前記ユーザから受け付けた際に、前記宅配ボックスサイズ情報と、検索結果として抽出された少なくとも１つの商品の前記配送サイズ情報とに基づいて、前記宅配ボックス装置の前記収納庫に前記少なくとも１つの商品が収納可能であるか否かを判断する、
請求項１記載の情報提示方法。
【請求項３】
前記判断結果に基づいて、前記購入画面において前記宅配ボックス装置の前記商品による占有状態を表示させる、
請求項１記載の情報提示方法。
【請求項４】
インターネット上で商品を販売する電子商取引サイトに提示する情報を管理するサーバの情報提示方法であって、
前記電子商取引サイトを利用するユーザを識別するための識別情報を取得し、
取得された前記識別情報に対応付けられており、前記ユーザに関連する所定の場所に設けられた、前記電子商取引サイトで購入した商品を受け取るための宅配ボックス装置に関する情報を特定し、
前記電子商取引サイトで販売している商品の配送時の大きさに関する配送サイズ情報を取得し、
前記宅配ボックス装置に関する情報は、前記宅配ボックス装置の収納庫の大きさに関する宅配ボックスサイズ情報を含み、
前記電子商取引サイト上に現在表示されている画面から、前記商品に関する情報を表示する画面へ遷移させる遷移指示を前記ユーザから受け付けた際に、前記宅配ボックスサイズ情報と、前記商品の前記配送サイズ情報とに基づいて、前記宅配ボックス装置の前記収納庫に前記商品が収納可能であるか否かを判断し、
前記商品が前記宅配ボックス装置の前記収納庫に収納可能であると判断された場合の前記商品の配送料を、前記商品が前記宅配ボックス装置の前記収納庫に収納不可能であると判断された場合の前記商品の配送料よりも安い配送料に決定する、
情報提示方法。
【請求項５】
インターネット上で商品を販売する電子商取引サイトに提示する情報を管理するサーバの情報提示方法であって、
前記電子商取引サイトを利用するユーザを識別するための識別情報を取得し、
取得された前記識別情報に対応付けられており、前記ユーザに関連する所定の場所に設けられた、前記電子商取引サイトで購入した商品を受け取るための宅配ボックス装置に関する情報を特定し、
前記電子商取引サイトで販売している商品の配送時の大きさに関する配送サイズ情報を取得し、
前記宅配ボックス装置に関する情報は、前記宅配ボックス装置の収納庫の大きさに関する宅配ボックスサイズ情報を含み、
前記商品は、複数の商品を含み、
前記電子商取引サイト上に現在表示されている画面から、前記商品に関する情報を表示する画面へ遷移させる遷移指示を前記ユーザから受け付けた際に、前記宅配ボックスサイズ情報と、前記複数の商品の前記配送サイズ情報とに基づいて、一括して梱包された前記複数の商品の全てが前記宅配ボックス装置の前記収納庫に収納可能であるか否かを判断し、
一括して梱包された前記複数の商品の全てが前記宅配ボックス装置の前記収納庫に収納不可能であると判断された場合、前記複数の商品を配送する際の梱包方法を前記複数の商品を分割して梱包する梱包方法に決定する、
情報提示方法。
【請求項６】
前記電子商取引サイトで販売している商品の大きさに関する商品サイズ情報を取得し、
取得された前記商品サイズ情報に基づいて前記商品の配送時の大きさを算出する、
請求項１〜５のいずれか１項に記載の情報提示方法。
【請求項７】
前記電子商取引サイト上に現在表示されている画面から、前記商品の詳細な情報を表示するための詳細画面へ遷移させる遷移指示を前記ユーザから受け付けた際に、前記宅配ボックスサイズ情報と、前記商品の前記配送サイズ情報とに基づいて、前記宅配ボックス装置の前記収納庫に前記商品が収納可能であるか否かを判断する、
請求項１〜６のいずれか１項に記載の情報提示方法。
【請求項８】
前記宅配ボックス装置の利用状況を管理する宅配ボックス管理サーバから前記宅配ボックス装置の前記利用状況を取得し、
取得された前記宅配ボックス装置の前記利用状況を前記電子商取引サイト上で前記ユーザに提示する、
請求項１〜７のいずれか１項に記載の情報提示方法。
【請求項９】
前記ユーザが前記電子商取引サイトを利用して前記商品を購入した際に、前記商品の配送日を前記宅配ボックス管理サーバへ送信し、前記ユーザの前記宅配ボックス装置の前記利用状況を更新する、
請求項８に記載の情報提示方法。
【請求項１０】
インターネット上で商品を販売する電子商取引サイトに提示する情報を管理するサーバであって、
前記電子商取引サイトを利用するユーザを識別するための識別情報を取得する第１取得部と、
取得された前記識別情報に対応付けられており、前記ユーザに関連する所定の場所に設けられた、前記電子商取引サイトで購入した商品を受け取るための宅配ボックス装置に関する情報を特定する特定部と、
前記電子商取引サイトで販売している商品の配送時の大きさに関する配送サイズ情報を取得する第２取得部と、
前記宅配ボックス装置に関する情報は、前記宅配ボックス装置の収納庫の大きさに関する宅配ボックスサイズ情報を含み、
前記電子商取引サイト上に現在表示されている画面から、前記商品に関する情報を表示する画面へ遷移させる遷移指示を前記ユーザから受け付けた際に、前記宅配ボックスサイズ情報と、前記商品の前記配送サイズ情報と、過去に前記ユーザにより購入が指示され購入予定となっている少なくとも１つの他の商品の前記配送サイズ情報とに基づいて、前記宅配ボックス装置の前記収納庫に前記商品及び前記少なくとも１つの他の商品の全てが収納可能であるか否かを判断する判断部と、
特定された前記宅配ボックス装置に関する情報を前記電子商取引サイト上で前記ユーザに提示する提示部と、
を備えるサーバ。
【発明の詳細な説明】
【技術分野】
【０００１】
本開示は、インターネット上で商品を販売する電子商取引サイトに提示する情報を管理するサーバの情報提示方法、及びインターネット上で商品を販売する電子商取引サイトに提示する情報を管理するサーバに関するものである。
【背景技術】
【０００２】
近年、インターネット上に設けられた電子商取引サイトで商品を購入するインターネット通信販売が普及している。インターネット通信販売により購入された商品は、配送業者により購入者に配送されるが、配送時に購入者が不在である場合、配送業者は、商品を一旦持ち帰り、再度配送する必要がある。そこで、特許文献１では、電子店舗で商品を注文する消費者が、注文する商品の配送日時を指定すること可能な電子商取引装置が開示されている。
【０００３】
また、配送業者によって配送される商品を、居住者が不在であっても受け取ることを可能にする宅配ボックス装置が提案されている。例えば、特許文献２では、電子商取引サイトで注文した商品が宅配ボックス装置に配送される際に、配送された商品が注文品と一致している否かが判定され、配送された商品が注文品と一致していると判定された場合、宅配ボックス装置に商品が投入され、商品の決済処理が行われる商品配送システムが開示されている。
【先行技術文献】
【特許文献】
【０００４】
【特許文献１】特開２００１−１１７９９７号公報
【特許文献２】特開２００２−１３３３２３号公報
【発明の概要】
【発明が解決しようとする課題】
【０００５】
従来の商品配送システムでは、ユーザが電子商取引サイトを利用する際に、宅配ボックス装置に関する情報が提示されることはなく、宅配ボックス装置に関する情報を確認しながら電子商取引サイト上で商品を購入することができない。
【０００６】
本開示は、上記の問題を解決するためになされたもので、宅配ボックス装置に関する情報を確認しながら電子商取引サイト上で商品を購入することができる情報提示方法及びサーバを提供することを目的とするものである。
【課題を解決するための手段】
【０００７】
本開示の一局面に係る情報提示方法は、インターネット上で商品を販売する電子商取引サイトに提示する情報を管理するサーバの情報提示方法であって、前記電子商取引サイトを利用するユーザを識別するための識別情報を取得し、取得された前記識別情報に対応付けられており、前記ユーザに関連する所定の場所に設けられた、前記電子商取引サイトで購入した商品を受け取るための宅配ボックス装置に関する情報を特定し、前記電子商取引サイトで販売している商品の配送時の大きさに関する配送サイズ情報を取得し、前記宅配ボックス装置に関する情報は、前記宅配ボックス装置の収納庫の大きさに関する宅配ボックスサイズ情報を含み、前記電子商取引サイト上に現在表示されている画面から、前記商品に関する情報を表示する画面へ遷移させる遷移指示を前記ユーザから受け付けた際に、前記宅配ボックスサイズ情報と、前記商品の前記配送サイズ情報と、過去に前記ユーザにより購入が指示され購入予定となっている少なくとも１つの他の商品の前記配送サイズ情報とに基づいて、前記宅配ボックス装置の前記収納庫に前記商品及び前記少なくとも１つの他の商品の全てが収納可能であるか否かを判断し、特定された前記宅配ボックス装置に関する情報を前記電子商取引サイト上で前記ユーザに提示する。
【発明の効果】
【０００８】
本開示によれば、宅配ボックス装置に関する情報が電子商取引サイト上でユーザに提示されるので、ユーザは、宅配ボックス装置に関する情報を確認しながら電子商取引サイト上で商品を購入することができ、ユーザの利便性を向上させることができる。
【図面の簡単な説明】
【０００９】
【図１】本実施の形態１における情報提示システムの構成を示す図である。
【図２】本実施の形態１におけるＥＣサイト管理サーバ及びユーザ端末の構成を示す図である。
【図３】本実施の形態１におけるユーザ情報の登録画面の一例を示す図である。
【図４】本実施の形態１における商品を管理するための管理画面の一例を示す図である。
【図５】本実施の形態１における梱包材を管理するための管理画面の一例を示す図である。
【図６】本実施の形態１における情報提示システムの動作を示すフローチャートである。
【図７】本実施の形態１においてユーザ端末に表示される表示画面の一例を示す図である。
【図８】本実施の形態１の第１の変形例における情報提示システムの動作を示すフローチャートである。
【図９】本実施の形態１の第１の変形例においてユーザ端末に表示される表示画面の一例を示す図である。
【図１０】本実施の形態１の第２の変形例における情報提示システムの動作を示すフローチャートである。
【図１１】本実施の形態１の第２の変形例においてユーザ端末に表示される表示画面の一例を示す図である。
【図１２】本実施の形態１の第３の変形例における情報提示システムの動作を示すフローチャートである。
【図１３】本実施の形態１の第３の変形例においてユーザ端末に表示される表示画面の一例を示す図である。
【図１４】本実施の形態１の第４の変形例における情報提示システムの動作を示すフローチャートである。
【図１５】本実施の形態１の第４の変形例において、購入予定商品が宅配ボックス装置の収納庫に収納可能である場合にユーザ端末に表示される表示画面の一例を示す図である。
【図１６】本実施の形態１の第４の変形例において、購入予定商品が宅配ボックス装置の収納庫に収納不可能である場合にユーザ端末に表示される表示画面の一例を示す図である。
【図１７】本実施の形態１の第５の変形例における情報提示システムの動作を示すフローチャートである。
【図１８】本実施の形態１の第５の変形例において、購入予定商品が宅配ボックス装置の収納庫に収納可能である場合にユーザ端末に表示される表示画面の一例を示す図である。
【図１９】本実施の形態１の第６の変形例における情報提示システムの動作を示すフローチャートである。
【図２０】本実施の形態１の第６の変形例において、購入予定商品が宅配ボックス装置の収納庫に収納可能である場合にユーザ端末に表示される表示画面の一例を示す図である。
【図２１】本実施の形態１の第７の変形例における情報提示システムの動作を示すフローチャートである。
【図２２】本実施の形態２における情報提示システムの構成を示す図である。
【図２３】本実施の形態２におけるＥＣサイト管理サーバ、ユーザ端末及び宅配ボックス管理サーバの構成を示す図である。
【図２４】本実施の形態２における宅配ボックス管理サーバが記憶する利用状況情報の一例を示す図である。
【発明を実施するための形態】
【００１０】
以下添付図面を参照しながら、本開示の実施の形態について説明する。なお、以下の実施の形態は、本開示を具体化した一例であって、本開示の技術的範囲を限定するものではない。
【００１１】
（実施の形態１）
図１は、本実施の形態１における情報提示システムの構成を示す図である。
【００１２】
図１に示す情報提示システム１００は、電子商取引サイト（以下、ＥＣサイトと略記する）管理サーバ１及びユーザ端末２を備える。
【００１３】
ＥＣサイト管理サーバ１は、インターネット上で商品を販売するＥＣサイトに提示する情報を管理する。ＥＣサイト管理サーバ１は、インターネットを介してユーザ端末２と通信可能に接続されている。ＥＣサイトは、ユーザによる商品の購入を受け付ける。
【００１４】
ユーザ端末２は、例えば、パーソナルコンピュータ、タブレット型コンピュータ、スマートフォン、携帯電話機及びテレビ等である。ユーザ端末２は、ＥＣサイト管理サーバ１によって提供されるＥＣサイトを表示し、ＥＣサイトへの情報の入力を受け付ける。ユーザは、ＥＣサイトを利用して商品を購入する。
【００１５】
ユーザ端末２を使用するユーザの家庭には、宅配ボックス装置３が設けられている。宅配ボックス装置３は、配送業者によって配送される商品を、居住者が不在であっても受け取ることを可能にする。配送業者は、ＥＣサイトを利用して購入された商品を購入者に配送する。宅配ボックス装置３は、例えば、ユーザの家の玄関に配置される。配送業者は、ユーザが不在である場合に、宅配ボックス装置３の収納庫内に商品を収納する。
【００１６】
なお、予め宅配ボックス装置３の収納庫内に商品を収納する旨の指示がされている場合は、配送業者は、ユーザが在宅していたとしても、宅配ボックス装置３の収納庫内に商品を収納してもよい。また、宅配ボックス装置３が集合住宅に配置されている場合、当該宅配ボックス装置３は、集合住宅に住む複数の居住者によって利用される。さらに、宅配ボックス装置３は、駅又はコンビニエンスストアなどに配置されてもよく、この場合、宅配ボックス装置３は、近隣の不特定多数の住人によって利用される。
【００１７】
図２は、本実施の形態１におけるＥＣサイト管理サーバ及びユーザ端末の構成を示す図である。
【００１８】
ＥＣサイト管理サーバ１は、制御部１１、通信部１２及び記憶部１３を備える。
【００１９】
制御部１１は、例えば、中央演算処理装置（ＣＰＵ）で構成され、ＥＣサイト表示制御部１１１、ユーザ登録部１１２、ユーザ情報取得部１１３、商品サイズ取得部１１４、梱包サイズ取得部１１５、宅配ボックスサイズ取得部１１６、判断部１１７及び表示画面生成部１１８を備える。記憶部１３は、例えば、磁気ディスクドライブ、光ディスクドライブ又は半導体メモリなどで構成され、ユーザ情報記憶部１３１、商品情報記憶部１３２及び梱包サイズ情報記憶部１３３を備える。
【００２０】
通信部１２は、インターネットを介してユーザ端末２と通信する。通信部１２は、ユーザ端末２へ種々の情報を送信するとともに、ユーザ端末２から種々の情報を受信する。
【００２１】
ＥＣサイト表示制御部１１１は、ユーザ端末２からの閲覧要求に応じて、ＥＣサイト画面をユーザ端末２へ送信し、ＥＣサイト画面をユーザ端末２に表示する。また、ＥＣサイト表示制御部１１１は、ＥＣサイト上に現在表示されている画面から、商品に関する情報を表示する画面へ遷移させる遷移指示に応じたＥＣサイト画面を表示する。
【００２２】
ユーザ登録部１１２は、ＥＣサイトを利用するユーザに関するユーザ情報をユーザ情報記憶部１３１に記憶する。ユーザ登録部１１２は、ユーザ情報を登録するための登録画面をユーザ端末２へ送信する。ユーザは、ユーザ端末２に表示される登録画面にユーザ情報を入力する。そして、ユーザ端末２は、入力されたユーザ情報をＥＣサイト管理サーバ１へ送信する。ユーザ登録部１１２は、通信部１２を介して受信したユーザ情報をユーザ情報記憶部１３１に記憶する。ユーザ情報記憶部１３１は、ユーザ情報を記憶する。
【００２３】
図３は、本実施の形態１におけるユーザ情報の登録画面の一例を示す図である。図３に示すように、ユーザ情報は、ユーザの氏名、住所、電話番号、宅配ボックス情報、及びクレジットカード情報を含む。宅配ボックス情報は、ユーザの住居に設置されている宅配ボックス装置に関する情報である。宅配ボックス情報は、例えば、型番情報、サイズ情報、冷蔵機能を有しているか否かを示す情報、及び冷凍機能を有しているか否かを示す情報を含む。サイズ情報は、宅配ボックス装置の配送物を収納する収納庫内部の縦、横及び奥行きの寸法を示す。また、ユーザ情報は、予め割り当てられたユーザ固有のユーザＩＤを含んでもよい。
【００２４】
なお、ユーザ登録部１１２は、宅配ボックス情報の全ての情報をユーザ端末２から受信してもよい。また、ユーザ登録部１１２は、宅配ボックス情報のうちの型番情報のみをユーザ端末２から受信し、型番情報に対応する他の情報を、宅配ボックス装置を管理する管理サーバから取得してもよい。
【００２５】
ユーザ情報取得部１１３は、ＥＣサイトを利用するユーザを識別するための識別情報をユーザ端末２から取得する。なお、識別情報は、例えば、ユーザの氏名又は予め割り当てられたユーザＩＤ等を含み、ユーザを一意に識別可能な情報を含む。
【００２６】
商品サイズ取得部１１４は、ＥＣサイトで販売している商品の大きさに関する商品サイズ情報を商品情報記憶部１３２から取得する。
【００２７】
商品情報記憶部１３２は、商品に関する商品情報を商品毎に記憶する。商品情報は、商品の画像、型番、名称、サイズ情報、冷蔵する必要があるか否かを示す情報、及び冷凍する必要があるか否かを示す情報を含む。サイズ情報は、商品自体の大きさであってもよく、販売時に商品を包んでいるパッケージの大きさであってもよい。サイズ情報は、商品自体の縦、横及び奥行きの寸法、又は販売時に商品を包んでいるパッケージの縦、横及び奥行きの寸法を示す。例えば、本などは、パッケージに入れられることなく販売されているので、商品自体の大きさがサイズ情報となる。また、ドライヤなどは、パッケージに入れられて販売されているので、商品を包んでいるパッケージの大きさがサイズ情報となる。なお、商品情報は、オペレータによって入力されてもよく、商品製造業者からネットワークを介して受信してもよく、商品販売業者からネットワークを介して受信してもよい。
【００２８】
図４は、本実施の形態１における商品を管理するための管理画面の一例を示す図である。図４に示す管理画面は、商品情報記憶部１３２に記憶されている商品情報を示す。例えば、ＥＣサイト管理サーバ１の管理者は、管理画面を表示部（不図示）に表示させる。図４に示すように、商品情報は、商品の画像、型番、名称、サイズ情報、冷蔵する必要があるか否かを示す情報、及び冷凍する必要があるか否かを示す情報を含む。
【００２９】
梱包サイズ取得部１１５は、ＥＣサイトで販売している商品の配送時の大きさに関する梱包サイズ情報（配送サイズ情報）を梱包サイズ情報記憶部１３３から取得する。なお、梱包サイズ取得部１１５は、商品サイズ取得部１１４によって取得された商品サイズ情報に基づいて商品の配送時の大きさを算出してもよい。
【００３０】
梱包サイズ情報記憶部１３３は、梱包材毎に梱包サイズ情報を記憶する。梱包サイズ情報は、梱包材の画像、梱包材の種類、及び梱包材のサイズ情報を含む。梱包材は、例えば、段ボール、袋又は封筒などであり、配送中の商品を保護するために用いられる。サイズ情報は、梱包材の縦、横及び奥行きの寸法を示す。なお、梱包サイズ情報は、オペレータによって入力されてもよく、梱包材製造業者からネットワークを介して受信してもよく、配送業者からネットワークを介して受信してもよい。
【００３１】
図５は、本実施の形態１における梱包材を管理するための管理画面の一例を示す図である。図５に示す管理画面は、梱包サイズ情報記憶部１３３に記憶されている梱包サイズ情報を示す。例えば、ＥＣサイト管理サーバ１の管理者は、管理画面を表示部（不図示）に表示させる。図５に示すように、商品情報は、梱包材の画像、梱包材の種類、及び梱包材のサイズ情報を含む。
【００３２】
宅配ボックスサイズ取得部１１６は、取得された識別情報に対応付けられており、ユーザの住居に設けられた、ＥＣサイトで購入した商品を受け取るための宅配ボックス装置に関する情報を特定する。宅配ボックスサイズ取得部１１６は、識別情報に対応する宅配ボックス装置の収納庫の大きさに関する宅配ボックスサイズ情報をユーザ情報記憶部１３１から取得する。ＥＣサイト表示制御部１１１は、特定された宅配ボックス装置に関する情報をＥＣサイト上でユーザに提示する。
【００３３】
判断部１１７は、宅配ボックス装置に関する情報と、商品の梱包サイズ情報（配送サイズ情報）とに基づいて、宅配ボックス装置の収納庫に商品が収納可能であるか否かを判断する。判断部１１７は、ＥＣサイト上に現在表示されている画面から、商品に関する情報を表示する画面へ遷移させる遷移指示をユーザから受け付けた際に、宅配ボックス装置に関する情報と、商品の梱包サイズ情報（配送サイズ情報）とに基づいて、宅配ボックス装置の収納庫に商品が収納可能であるか否かを判断する。
【００３４】
なお、遷移指示は、ＥＣサイト上に現在表示されている画面から、商品を購入するための購入画面へ遷移させる遷移指示を含む。判断部１１７は、ＥＣサイト上に現在表示されている画面から、購入画面へ遷移させる遷移指示をユーザから受け付けた際に、宅配ボックス装置に関する情報と、商品の梱包サイズ情報（配送サイズ情報）とに基づいて、宅配ボックス装置の収納庫に商品が収納可能であるか否かを判断する。また、判断部１１７は、ＥＣサイト上に現在表示されている画面から、購入画面へ遷移させる遷移指示をユーザから受け付けた際に、宅配ボックス装置に関する情報と、商品の梱包サイズ情報（配送サイズ情報）と、過去にユーザにより購入が指示され購入予定となっている少なくとも１つの他の商品の配送サイズ情報とに基づいて、宅配ボックス装置の収納庫に商品及び少なくとも１つの他の商品の全てが収納可能であるか否かを判断する。
【００３５】
また、遷移指示は、ＥＣサイト上に現在表示されている画面から、商品の詳細な情報を表示するための詳細画面へ遷移させる遷移指示を含む。判断部１１７は、ＥＣサイト上に現在表示されている画面から、詳細画面へ遷移させる遷移指示をユーザから受け付けた際に、宅配ボックス装置に関する情報と、商品の梱包サイズ情報（配送サイズ情報）とに基づいて、宅配ボックス装置の収納庫に商品が収納可能であるか否かを判断する。
【００３６】
また、遷移指示は、ＥＣサイト上の商品を検索するための検索画面から、検索結果を表示するための検索結果画面へ遷移させる遷移指示を含む。判断部１１７は、検索画面から、検索結果画面へ遷移させる遷移指示をユーザから受け付けた際に、宅配ボックス装置に関する情報と、検索結果として抽出された少なくとも１つの商品の梱包サイズ情報（配送サイズ情報）とに基づいて、宅配ボックス装置の収納庫に少なくとも１つの商品が収納可能であるか否かを判断する。なお、ＥＣサイト表示制御部１１１は、検索結果として抽出された複数の商品のうち、宅配ボックス装置の収納庫に収納可能であると判断された商品を、宅配ボックス装置の収納庫に収納不可能であると判断された商品よりも、検索結果画面における上位に表示させる。
【００３７】
また、ＥＣサイト表示制御部１１１は、宅配ボックス装置の収納庫に商品が収納可能であると判断された場合と、宅配ボックス装置の収納庫に商品が収納不可能であると判断された場合とで、遷移後の画面における商品に関する情報の表示態様を異ならせる。
【００３８】
ユーザ端末２は、通信部２１、入力部２２、制御部２３及び表示部２４を備える。
【００３９】
通信部２１は、インターネットを介してＥＣサイト管理サーバ１と通信する。通信部２１は、ＥＣサイト管理サーバ１へ種々の情報を送信するとともに、ＥＣサイト管理サーバ１から種々の情報を受信する。
【００４０】
入力部２２は、例えば、タッチパネル、キーボード、マウス又はボタンなどで構成され、ユーザによる入力指示を受け付ける。制御部２３は、例えば、ＣＰＵで構成され、ユーザ端末２全体を制御する。表示部２４は、例えば、液晶表示装置で構成され、ＥＣサイトの種々の画面を表示する。
【００４１】
図６は、本実施の形態１における情報提示システムの動作を示すフローチャートである。なお、ＥＣサイトの画面を表示する際には、ＥＣサイト表示制御部１１１は、識別情報のユーザによる入力を受け付け、受け付けた識別情報を用いてユーザ認証を行う。ユーザ認証により、予め登録されているユーザであると判断された場合、ＥＣサイト表示制御部１１１は、ＥＣサイトの画面を表示する。
【００４２】
まず、ステップＳ１において、ＥＣサイト表示制御部１１１は、現在表示されている画面から次のページの画面を表示するための遷移指示を受信したか否かを判断する。なお、次のページの画面は、例えば、商品に関する情報を表示する画面である。また、次のページの画面は、例えば、商品の詳細な情報を表示するための詳細画面であってもよい。さらに、現在表示されている画面は、例えば、ＥＣサイト上の商品を検索するための検索画面であり、次のページの画面は、例えば、検索結果を表示するための検索結果画面であってもよい。ここで、遷移指示を受信していないと判断された場合（ステップＳ１でＮＯ）、ＥＣサイト表示制御部１１１は、遷移指示を受信するまで待機状態となる。
【００４３】
一方、遷移指示を受信したと判断された場合（ステップＳ１でＹＥＳ）、ステップＳ２において、宅配ボックスサイズ取得部１１６は、識別情報に対応する宅配ボックス装置の収納庫の大きさに関する宅配ボックスサイズ情報をユーザ情報記憶部１３１から取得する。
【００４４】
次に、ステップＳ３において、商品サイズ取得部１１４は、次の画面に表示する全て（Ｎ個（Ｎは正の整数））の表示対象商品のそれぞれの大きさに関する商品サイズ情報を商品情報記憶部１３２から取得する。
【００４５】
次に、ステップＳ４において、梱包サイズ取得部１１５は、次の画面に表示する全て（Ｎ個）の表示対象商品のそれぞれの配送時の大きさに関する梱包サイズ情報を梱包サイズ情報記憶部１３３から取得する。このとき、梱包サイズ取得部１１５は、商品サイズ取得部１１４によって取得された商品サイズ情報に含まれる商品の縦、横及び奥行きのそれぞれの寸法よりも大きい寸法を有する梱包材の梱包サイズ情報を取得する。
【００４６】
例えば、梱包サイズ取得部１１５は、最も小さい梱包材の中に表示対象商品が梱包可能であるか否かを判断する。最も小さい梱包材の中に表示対象商品が梱包可能である場合は、梱包サイズ取得部１１５は、最も小さい梱包材の梱包サイズ情報を取得する。最も小さい梱包材の中に表示対象商品が梱包不可能である場合は、梱包サイズ取得部１１５は、次に大きい梱包材の中に表示対象商品が梱包可能であるか否かを判断する。以上の判断を繰り返し行うことにより、梱包サイズ取得部１１５は、表示対象商品が入る梱包材の梱包サイズ情報を取得する。
【００４７】
次に、ステップＳ５において、判断部１１７は、変数ｎに１を代入する。変数ｎは、表示対象商品の数を示す変数である。
【００４８】
次に、ステップＳ６において、判断部１１７は、宅配ボックスサイズ情報と、第ｎの表示対象商品の梱包サイズ情報（配送サイズ情報）とに基づいて、宅配ボックス装置の収納庫に第ｎの表示対象商品が収納可能であるか否かを判断する。このとき、判断部１１７は、宅配ボックスサイズ情報に含まれる宅配ボックス装置の収納庫の縦、横及び奥行きのそれぞれの寸法と、梱包サイズ情報に含まれる梱包材の縦、横及び奥行きのそれぞれの寸法とを比較する。判断部１１７は、宅配ボックス装置の収納庫の縦、横及び奥行きのそれぞれの寸法が、梱包材の縦、横及び奥行きのそれぞれの寸法よりも大きい場合、宅配ボックス装置の収納庫に第ｎの表示対象商品が収納可能であると判断する。
【００４９】
ここで、宅配ボックス装置の収納庫に第ｎの表示対象商品が収納可能であると判断された場合（ステップＳ６でＹＥＳ）、ステップＳ７において、判断部１１７は、第ｎの表示対象商品の画像の表示態様を通常の表示態様に決定する。ここで、通常の表示態様とは、表示対象商品の画像をそのまま表示する表示態様である。
【００５０】
一方、宅配ボックス装置の収納庫に第ｎの表示対象商品が収納不可能であると判断された場合（ステップＳ６でＮＯ）、ステップＳ８において、判断部１１７は、第ｎの表示対象商品の画像の表示態様をグレーで表示する表示態様に決定する。なお、判断部１１７は、宅配ボックス装置の収納庫に第ｎの表示対象商品が収納不可能であると判断された場合の表示対象商品の画像の表示態様を、宅配ボックス装置の収納庫に第ｎの表示対象商品が収納可能であると判断された場合の表示対象商品の画像の表示態様と異ならせればよい。
【００５１】
次に、ステップＳ９において、判断部１１７は、変数ｎがＮであるか否かを判断する。ここで、変数ｎがＮではないと判断された場合（ステップＳ９でＮＯ）、ステップＳ１０において、判断部１１７は、変数ｎを１だけインクリメントし、ステップＳ６の処理へ戻る。その後、判断部１１７は、判断部１１７は、宅配ボックスサイズ情報と、第ｎの表示対象商品の梱包サイズ情報（配送サイズ情報）とに基づいて、宅配ボックス装置の収納庫に第ｎの表示対象商品が収納可能であるか否かを判断する。
【００５２】
一方、変数ｎがＮであると判断された場合（ステップＳ９でＹＥＳ）、ステップＳ１１において、表示画面生成部１１８は、次のページの画面を生成する。
【００５３】
次に、ステップＳ１２において、ＥＣサイト表示制御部１１１は、次のページの画面をユーザ端末２に表示する。
【００５４】
図７は、本実施の形態１においてユーザ端末に表示される表示画面の一例を示す図である。図７に示す表示画面では、宅配ボックス装置の収納庫に収納可能である商品が、カラー画像で表示され、宅配ボックス装置の収納庫に収納不可能である商品が、グレー画像で表示される。例えば、型番がＰＰ−０３であり商品名が乾電池である商品の画像は、カラーで表示され、型番がＰＰ−０１であり商品名がドライヤである商品の画像は、カラーで表示され、型番がＰＰ−０２であり商品名が空気清浄機である商品の画像は、グレーで表示されている。
【００５５】
なお、本実施の形態１では、宅配ボックス装置の収納庫に収納不可能である商品は、グレーで表示されるが、本開示は特にこれに限定されず、他の色で表示されてもよい。ＥＣサイト表示制御部１１１は、宅配ボックス装置の収納庫に商品が収納可能であると判断された場合と、宅配ボックス装置の収納庫に商品が収納不可能であると判断された場合とで、遷移後の画面における商品を示す商品オブジェクトの色を異ならせてもよい。
【００５６】
従来の商品配送システムでは、宅配ボックス装置の容量については考慮されていない。そのため、配送される商品の大きさが宅配ボックス装置の容量より大きい場合、配送業者は、商品を宅配ボックス装置の収納庫に収納することができず、再度配送する必要がある。また、複数の商品が、同一の日に配送される場合、既に宅配ボックス装置の収納庫内に商品が収納されていると、後から商品を収納することができず、再度配送しなければならない。このような商品の再配送は、配送業者にとって無駄な作業であり、配送料金の増大にも繋がるおそれがある。
【００５７】
一方、本実施の形態１の表示制御方法では、宅配ボックスサイズ情報と、商品の配送サイズ情報とに基づいて、宅配ボックス装置の収納庫に商品が収納可能であるか否かが判断されるので、ユーザは、商品の購入時において、商品の配送時に宅配ボックス装置が使用できるか否かを確認することができ、ユーザの利便性を向上させることができる。また、宅配ボックス装置の収納庫に商品が収納不可能である場合は、ユーザが確実に在宅する日に配送日を指定することにより、ユーザが不在であることによる配送業者の再配送を防止することができ、配送に要するコストを低減することができる。
【００５８】
続いて、本実施の形態１の第１の変形例における表示制御方法について説明する。本実施の形態１の第１の変形例における表示制御方法では、宅配ボックス装置の収納庫に収納可能である表示対象商品のみが表示され、宅配ボックス装置の収納庫に収納不可能である表示対象商品は表示されない。
【００５９】
図８は、本実施の形態１の第１の変形例における情報提示システムの動作を示すフローチャートである。
【００６０】
なお、ステップＳ２１〜ステップＳ２６の処理は、図６に示すステップＳ１〜ステップＳ６の処理と同じであるので、説明を省略する。
【００６１】
ステップＳ２６で宅配ボックス装置の収納庫に第ｎの表示対象商品が収納可能であると判断された場合（ステップＳ２６でＹＥＳ）、ステップＳ２７において、判断部１１７は、第ｎの表示対象商品の画像の表示態様を通常の表示態様に決定する。ここで、通常の表示態様とは、表示対象商品の画像をそのまま表示する表示態様である。
【００６２】
一方、宅配ボックス装置の収納庫に第ｎの表示対象商品が収納不可能であると判断された場合（ステップＳ２６でＮＯ）、ステップＳ２８において、判断部１１７は、第ｎの表示対象商品の画像の表示態様を非表示の表示態様に決定する。ここで、非表示の表示態様とは、表示対象商品の画像を表示しない表示態様である。
【００６３】
ステップＳ２９及びステップＳ３０の処理は、図６に示すステップＳ９〜ステップＳ１０の処理と同じであるので、説明を省略する。
【００６４】
ステップＳ２９で変数ｎがＮであると判断された場合（ステップＳ２９でＹＥＳ）、ステップＳ３１において、表示画面生成部１１８は、次のページの画面を生成する。このとき、次のページの画面では、宅配ボックス装置の収納庫に収納可能である商品が表示され、宅配ボックス装置の収納庫に収納不可能である商品は表示されない。
【００６５】
次に、ステップＳ３２において、ＥＣサイト表示制御部１１１は、次のページの画面をユーザ端末２に表示する。
【００６６】
図９は、本実施の形態１の第１の変形例においてユーザ端末に表示される表示画面の一例を示す図である。図９に示す表示画面では、宅配ボックス装置の収納庫に収納可能である商品が、カラー画像で表示され、宅配ボックス装置の収納庫に収納不可能である商品は、表示されていない。例えば、型番がＰＰ−０３であり商品名が乾電池である商品の画像は、カラーで表示され、型番がＰＰ−０１であり商品名がドライヤである商品の画像は、カラーで表示される。一方、型番がＰＰ−０２であり商品名が空気清浄機である商品の画像は、当該商品が宅配ボックス装置の収納庫に収納不可能であるため、表示されない。
【００６７】
なお、本実施の形態１の第１の変形例では、宅配ボックス装置の収納庫に収納不可能である商品の画像は表示されないが、本開示は特にこれに限定されず、表示画面生成部１１８は、宅配ボックス装置の収納庫に収納不可能である商品の画像上にＸマークを重畳した画面を生成してもよい。
【００６８】
続いて、本実施の形態１の第２の変形例における表示制御方法について説明する。本実施の形態１の第２の変形例における表示制御方法では、表示対象商品に優先度が付与され、宅配ボックス装置の収納庫に収納可能である表示対象商品の優先度が、宅配ボックス装置の収納庫に収納不可能である表示対象商品の優先度よりも高くされ、表示対象商品が優先度が高い順番に表示される。
【００６９】
図１０は、本実施の形態１の第２の変形例における情報提示システムの動作を示すフローチャートである。
【００７０】
なお、ステップＳ４１〜ステップＳ４６の処理は、図６に示すステップＳ１〜ステップＳ６の処理と同じであるので、説明を省略する。
【００７１】
ステップＳ４６で宅配ボックス装置の収納庫に第ｎの表示対象商品が収納可能であると判断された場合（ステップＳ４６でＹＥＳ）、ステップＳ４７において、判断部１１７は、第ｎの表示対象商品の画像の優先度を第１の優先度に決定する。
【００７２】
一方、宅配ボックス装置の収納庫に第ｎの表示対象商品が収納不可能であると判断された場合（ステップＳ４６でＮＯ）、ステップＳ４８において、判断部１１７は、第ｎの表示対象商品の画像の優先度を第１の優先度よりも低い第２の優先度に決定する。
【００７３】
ステップＳ４９及びステップＳ５０の処理は、図６に示すステップＳ９及びステップＳ１０の処理と同じであるので、説明を省略する。
【００７４】
ステップＳ４９で変数ｎがＮであると判断された場合（ステップＳ４９でＹＥＳ）、ステップＳ５１において、表示画面生成部１１８は、次のページの画面を生成する。このとき、次のページの画面では、第１の優先度に決定された表示対象商品が、第２の優先度に決定された表示対象商品よりも上位に表示される。
【００７５】
次に、ステップＳ５２において、ＥＣサイト表示制御部１１１は、次のページの画面をユーザ端末２に表示する。
【００７６】
図１１は、本実施の形態１の第２の変形例においてユーザ端末に表示される表示画面の一例を示す図である。図１１に示す表示画面では、宅配ボックス装置の収納庫に収納可能である商品が、上位に表示され、宅配ボックス装置の収納庫に収納不可能である商品は、下位に表示される。例えば、型番がＰＰ−０３であり商品名が乾電池であり宅配ボックス装置の収納庫に収納可能である商品の画像は、最も上位に表示され、型番がＰＰ−０１であり商品名がドライヤであり宅配ボックス装置の収納庫に収納可能である商品の画像は、２番目に表示され、型番がＰＰ−０２であり商品名が空気清浄機であり宅配ボックス装置の収納庫に収納不可能である商品の画像は、３番目に表示される。
【００７７】
なお、宅配ボックス装置の収納庫に収納可能である場合と宅配ボックス装置の収納庫に収納不可能である場合との２つの優先度に分けるのではなく、梱包材の大きさに応じて３つ以上の優先度に分けてもよい。例えば、小さい梱包材の商品から順に優先度を高くし、梱包材が大きくなるに従って優先度を低くしてもよい。図１１に示すように、複数の商品が宅配ボックス装置の収納庫に収納可能である場合、複数の商品は、配送時のサイズが小さい順に表示される。
【００７８】
続いて、本実施の形態１の第３の変形例における表示制御方法について説明する。本実施の形態１の第３の変形例における表示制御方法では、表示対象商品の画像の近傍に、宅配ボックス装置の収納庫に収納可能であるか否かを表すアイコン画像が表示される。
【００７９】
ＥＣサイト表示制御部１１１は、遷移後の画面において、商品を示す商品オブジェクト（商品の画像）と、商品オブジェクトの付近に宅配ボックス装置を示す宅配ボックスオブジェクト（宅配ボックス装置のアイコン画像）とを表示させる。ＥＣサイト表示制御部１１１は、宅配ボックス装置の収納庫に商品が収納可能であると判断された場合と、宅配ボックス装置の収納庫に商品が収納不可能であると判断された場合とで、宅配ボックスオブジェクトの表示態様を異ならせる。
【００８０】
図１２は、本実施の形態１の第３の変形例における情報提示システムの動作を示すフローチャートである。
【００８１】
なお、ステップＳ６１〜ステップＳ６６の処理は、図６に示すステップＳ１〜ステップＳ６の処理と同じであるので、説明を省略する。
【００８２】
ステップＳ６６で宅配ボックス装置の収納庫に第ｎの表示対象商品が収納可能であると判断された場合（ステップＳ６６でＹＥＳ）、ステップＳ６７において、判断部１１７は、第ｎの表示対象商品の画像の近傍に表示するアイコン画像を第１のアイコン画像に決定する。ここで、第１のアイコン画像は、宅配ボックス装置の収納庫に商品が収納可能であることを示す画像であり、例えば、宅配ボックス装置を円で囲んだ画像である。
【００８３】
一方、宅配ボックス装置の収納庫に第ｎの表示対象商品が収納不可能であると判断された場合（ステップＳ６６でＮＯ）、ステップＳ６８において、判断部１１７は、第ｎの表示対象商品の画像の近傍に表示するアイコン画像を第１のアイコン画像とは異なる第２のアイコン画像に決定する。ここで、第２のアイコン画像は、宅配ボックス装置の収納庫に商品が収納不可能であることを示す画像であり、例えば、宅配ボックス装置上にＸマークを重ねた画像である。
【００８４】
ステップＳ６９及びステップＳ７０の処理は、図６に示すステップＳ９〜ステップＳ１０の処理と同じであるので、説明を省略する。
【００８５】
ステップＳ６９で変数ｎがＮであると判断された場合（ステップＳ６９でＹＥＳ）、ステップＳ７１において、表示画面生成部１１８は、次のページの画面を生成する。このとき、次のページの画面では、表示対象商品の画像とともに、宅配ボックス装置の収納庫に表示対象商品が収納可能であるか否かを示すアイコン画像が表示される。
【００８６】
次に、ステップＳ７２において、ＥＣサイト表示制御部１１１は、次のページの画面をユーザ端末２に表示する。
【００８７】
図１３は、本実施の形態１の第３の変形例においてユーザ端末に表示される表示画面の一例を示す図である。図１３に示す表示画面では、宅配ボックス装置の収納庫に収納可能である商品の画像の隣に、宅配ボックス装置の収納庫に商品が収納可能であることを示す第１のアイコン画像が表示され、宅配ボックス装置の収納庫に収納不可能である商品の画像の隣に、宅配ボックス装置の収納庫に商品が収納不可能であることを示す第２のアイコン画像が表示される。例えば、型番がＰＰ−０３であり商品名が乾電池であり宅配ボックス装置の収納庫に収納可能である商品の画像の隣には、第１のアイコン画像が表示され、型番がＰＰ−０１であり商品名がドライヤであり宅配ボックス装置の収納庫に収納可能である商品の画像の隣には、第１のアイコン画像が表示され、型番がＰＰ−０２であり商品名が空気清浄機であり宅配ボックス装置の収納庫に収納不可能である商品の画像の隣には、第２のアイコン画像が表示される。
【００８８】
なお、本実施の形態１の第３の変形例では、宅配ボックス装置の収納庫に商品が収納可能である場合と宅配ボックス装置の収納庫に商品が収納不可能である場合とで異なるアイコン画像が表示されるが、本開示は特にこれに限定されず、宅配ボックス装置の収納庫に商品が収納可能である場合にのみ、アイコン画像が表示され、宅配ボックス装置の収納庫に商品が収納不可能である場合には、アイコン画像が表示されなくてもよい。
【００８９】
続いて、本実施の形態１の第４の変形例における表示制御方法について説明する。本実施の形態１の第４の変形例における表示制御方法では、ＥＣサイト上に現在表示されている画面から、商品を購入するための購入画面へ遷移させる遷移指示がユーザから受け付けられ、全ての購入予定商品を一括して配送する際の梱包サイズ情報が取得され、全ての購入予定商品が宅配ボックス装置の収納庫に収納可能であるか否かが判断され、判断結果に応じて配送料が決定される。
【００９０】
図１４は、本実施の形態１の第４の変形例における情報提示システムの動作を示すフローチャートである。本実施の形態１の第４の変形例では、情報提示システムによる購入処理を示している。
【００９１】
まず、ステップＳ８１において、ＥＣサイト表示制御部１１１は、ＥＣサイト上に現在表示されている画面から、商品を購入するための購入画面へ遷移させる遷移指示を受信したか否かを判断する。なお、購入画面は、例えば、ショッピングカート画面であり、ユーザにより選択された少なくとも１つの購入予定商品を一覧表示する画面である。ここで、遷移指示を受信していないと判断された場合（ステップＳ８１でＮＯ）、ＥＣサイト表示制御部１１１は、遷移指示を受信するまで待機状態となる。
【００９２】
一方、遷移指示を受信したと判断された場合（ステップＳ８１でＹＥＳ）、ステップＳ８２において、宅配ボックスサイズ取得部１１６は、識別情報に対応する宅配ボックス装置の収納庫の大きさに関する宅配ボックスサイズ情報をユーザ情報記憶部１３１から取得する。
【００９３】
次に、ステップＳ８３において、商品サイズ取得部１１４は、購入画面に表示する全て（Ｎ個（Ｎは正の整数））の購入予定商品のそれぞれの大きさに関する商品サイズ情報を商品情報記憶部１３２から取得する。
【００９４】
次に、ステップＳ８４において、梱包サイズ取得部１１５は、購入画面に表示する全て（Ｎ個）の購入予定商品が入る梱包材の大きさに関する梱包サイズ情報を梱包サイズ情報記憶部１３３から取得する。すなわち、梱包サイズ取得部１１５は、複数の購入予定商品のそれぞれの梱包サイズ情報を取得するのではなく、全ての購入予定商品が入る梱包材の梱包サイズ情報を取得する。このとき、梱包サイズ取得部１１５は、商品サイズ取得部１１４によって取得された商品サイズ情報に含まれる各購入予定商品の縦、横及び奥行きのそれぞれの寸法を加算し、全ての購入予定商品の縦、横及び奥行きの寸法を算出し、算出した寸法よりも大きい寸法を有する梱包材の梱包サイズ情報を取得する。
【００９５】
例えば、梱包サイズ取得部１１５は、最も小さい梱包材の中に全ての購入予定商品が入るか否かを判断する。最も小さい梱包材の中に全ての購入予定商品が入る場合は、梱包サイズ取得部１１５は、最も小さい梱包材の梱包サイズ情報を取得する。最も小さい梱包材の中に全ての購入予定商品が入らない場合は、梱包サイズ取得部１１５は、次に大きい梱包材の中に全ての購入予定商品が入るか否かを判断する。以上の判断を繰り返し行うことにより、梱包サイズ取得部１１５は、全ての購入予定商品が入る梱包材の梱包サイズ情報を取得する。
【００９６】
次に、ステップＳ８５において、判断部１１７は、宅配ボックスサイズ情報と、全ての購入予定商品の梱包サイズ情報（配送サイズ情報）とに基づいて、宅配ボックス装置の収納庫に全ての購入予定商品が収納可能であるか否かを判断する。このとき、判断部１１７は、宅配ボックスサイズ情報に含まれる宅配ボックス装置の収納庫の縦、横及び奥行きのそれぞれの寸法と、梱包サイズ情報に含まれる梱包材の縦、横及び奥行きのそれぞれの寸法とを比較する。判断部１１７は、宅配ボックス装置の収納庫の縦、横及び奥行きのそれぞれの寸法が、梱包材の縦、横及び奥行きのそれぞれの寸法よりも大きい場合、宅配ボックス装置の収納庫に全ての購入予定商品が収納可能であると判断する。
【００９７】
ここで、宅配ボックス装置の収納庫に全ての購入予定商品が収納可能であると判断された場合（ステップＳ８５でＹＥＳ）、ステップＳ８６において、判断部１１７は、全ての購入予定商品の配送料を第１の配送料に決定する。ここで、第１の配送料とは、例えば、無料である。
【００９８】
一方、宅配ボックス装置の収納庫に全ての購入予定商品が収納不可能であると判断された場合（ステップＳ８５でＮＯ）、ステップＳ８７において、判断部１１７は、全ての購入予定商品の配送料を第１の配送料よりも高い第２の配送料に決定する。判断部１１７は、商品が宅配ボックス装置の収納庫に収納可能であると判断された場合の商品の配送料を、商品が宅配ボックス装置の収納庫に収納不可能であると判断された場合の商品の配送料よりも安い配送料に決定する。このように、商品が宅配ボックス装置の収納庫に収納可能であると判断された場合の配送料は、商品が宅配ボックス装置の収納庫に収納不可能であると判断された場合の配送料よりも安い。これは、購入者が不在であった場合に、配送業者が宅配ボックス装置の収納庫に商品を収納することにより、再配送が不要となり、人件費及び輸送費などを削減することが可能であるためである。
【００９９】
なお、配送料は、発送する場所から購入者の住居までの距離、配送する商品の大きさ及び配送する商品の重さ等に応じて変化する。そのため、判断部１１７は、購入者の居住する地域、配送する商品の大きさ及び配送する商品の重さに基づいて第１の配送料及び第２の配送料を算出してもよい。
【０１００】
次に、ステップＳ８８において、表示画面生成部１１８は、購入予定商品を表示するとともに、購入予定商品の配送料を表示するための購入画面を生成する。
【０１０１】
次に、ステップＳ８９において、ＥＣサイト表示制御部１１１は、購入画面をユーザ端末２に表示する。購入画面では、購入予定商品を表示するとともに、購入予定商品の配送料を表示する。
【０１０２】
次に、ステップＳ９０において、ＥＣサイト表示制御部１１１は、購入画面に表示された購入予定商品を購入するための購入指示をユーザ端末２から受信したか否かを判断する。ユーザは、購入画面に表示された購入予定商品を購入する場合、購入を確定するためのボタンを押下（タップ）する。これにより、購入指示がＥＣサイト管理サーバ１へ送信される。
【０１０３】
ここで、購入指示を受信したと判断された場合（ステップＳ９０でＹＥＳ）、ステップＳ９１において、ＥＣサイト表示制御部１１１は、ユーザによって購入された商品を卸業者又は製造者に発注したり、ユーザによって購入された商品の配送を配送業者に指示したりする購入処理を行う。
【０１０４】
一方、購入指示を受信していないと判断された場合（ステップＳ９０でＮＯ）、ステップＳ９２において、ＥＣサイト表示制御部１１１は、現在表示されている購入画面から他の画面を表示するための遷移指示を受信したか否かを判断する。ここで、遷移指示を受信したと判断された場合（ステップＳ９２でＹＥＳ）、処理を終了する。一方、遷移指示を受信していないと判断された場合（ステップＳ９２でＮＯ）ステップＳ９０の処理へ戻る。
【０１０５】
図１５は、本実施の形態１の第４の変形例において、購入予定商品が宅配ボックス装置の収納庫に収納可能である場合にユーザ端末に表示される表示画面の一例を示す図であり、図１６は、本実施の形態１の第４の変形例において、購入予定商品が宅配ボックス装置の収納庫に収納不可能である場合にユーザ端末に表示される表示画面の一例を示す図である。
【０１０６】
図１５に示す表示画面では、ユーザが乾電池及びドライヤを購入するため、乾電池の画像及びドライヤの画像が表示されている。また、乾電池及びドライヤを一括して配送する場合に乾電池及びドライヤが宅配ボックス装置の収納庫に収納可能であるため、宅配ボックス装置の画像とともに、配送料が無料であることが表示されている。また、割引き前の通常配送時の配送料が表示されてもよい。
【０１０７】
また、図１６に示す表示画面では、ユーザが乾電池、ドライヤ及び空気清浄機を購入するため、乾電池の画像、ドライヤの画像及び空気清浄機の画像が表示されている。乾電池、ドライヤ及び空気清浄機を一括して配送する場合に乾電池、ドライヤ及び空気清浄機が宅配ボックス装置の収納庫に収納不可能であるため、配送料が例えば５００円であることが表示されている。
【０１０８】
続いて、本実施の形態１の第５の変形例における表示制御方法について説明する。本実施の形態１の第５の変形例における表示制御方法では、ＥＣサイト上に現在表示されている画面から、商品を購入するための購入画面へ遷移させる遷移指示がユーザから受け付けられ、全ての購入予定商品が一括して配送される際に、全ての購入予定商品が宅配ボックス装置の収納庫に収納可能であるか否かが表示される。
【０１０９】
図１７は、本実施の形態１の第５の変形例における情報提示システムの動作を示すフローチャートである。
【０１１０】
なお、ステップＳ１０１〜ステップＳ１０５の処理は、図１４に示すステップＳ８１〜ステップＳ８５の処理と同じであるので、説明を省略する。
【０１１１】
ステップＳ１０５で宅配ボックス装置の収納庫に全ての購入予定商品が収納可能であると判断された場合（ステップＳ１０５でＹＥＳ）、ステップＳ１０６において、表示画面生成部１１８は、全ての購入予定商品が宅配ボックス装置の収納庫に収納可能であることを示す購入画面を生成する。
【０１１２】
一方、宅配ボックス装置の収納庫に全ての購入予定商品が収納不可能であると判断された場合（ステップＳ１０５でＮＯ）、ステップＳ１０７において、表示画面生成部１１８は、全ての購入予定商品が宅配ボックス装置の収納庫に収納不可能であることを示す購入画面を生成する。
【０１１３】
次に、ステップＳ１０８において、ＥＣサイト表示制御部１１１は、購入画面をユーザ端末２に表示する。購入画面では、全ての購入予定商品を表示するとともに、全ての購入予定商品が宅配ボックス装置の収納庫に収納可能であるか否かが表示される。
【０１１４】
なお、ステップＳ１０９〜ステップＳ１１１の処理は、図１４に示すステップＳ９０〜ステップＳ９２の処理と同じであるので、説明を省略する。
【０１１５】
図１８は、本実施の形態１の第５の変形例において、購入予定商品が宅配ボックス装置の収納庫に収納可能である場合にユーザ端末に表示される表示画面の一例を示す図である。
【０１１６】
図１８に示す表示画面では、ユーザが乾電池及びドライヤを購入するため、乾電池の画像及びドライヤの画像が表示されている。また、乾電池及びドライヤを一括して配送する場合に乾電池及びドライヤが宅配ボックス装置の収納庫に収納可能であるため、宅配ボックス装置の画像とともに、乾電池及びドライヤが宅配ボックス装置の収納庫に収納可能であることを示す文字情報が表示される。
【０１１７】
なお、複数の購入予定商品を一括して配送する場合に複数の購入予定商品が宅配ボックス装置の収納庫に収納不可能である場合、複数の購入予定商品が宅配ボックス装置の収納庫に収納不可能であることを示す文字情報が表示される。
【０１１８】
続いて、本実施の形態１の第６の変形例における表示制御方法について説明する。本実施の形態１の第６の変形例における表示制御方法では、ＥＣサイト上に現在表示されている画面から、商品を購入するための購入画面へ遷移させる遷移指示がユーザから受け付けられ、全ての購入予定商品が一括して配送される際に、全ての購入予定商品が宅配ボックス装置を占有する割合（占有率）が表示される。
【０１１９】
図１９は、本実施の形態１の第６の変形例における情報提示システムの動作を示すフローチャートである。
【０１２０】
なお、ステップＳ１２１〜ステップＳ１２５の処理は、図１４に示すステップＳ８１〜ステップＳ８５の処理と同じであるので、説明を省略する。
【０１２１】
ステップＳ１２５で宅配ボックス装置の収納庫に全ての購入予定商品が収納可能であると判断された場合（ステップＳ１２５でＹＥＳ）、ステップＳ１２６において、表示画面生成部１１８は、全ての購入予定商品を入れた梱包材が宅配ボックス装置に占める割合を表す占有率を算出する。表示画面生成部１１８は、例えば、全ての購入予定商品を入れた梱包材の高さを、宅配ボックス装置の収納庫の高さで除算した値を占有率として算出する。また、表示画面生成部１１８は、例えば、全ての購入予定商品を入れた梱包材の体積を、宅配ボックス装置の収納庫の体積で除算した値を占有率として算出してもよい。
【０１２２】
次に、ステップＳ１２７において、表示画面生成部１１８は、全ての購入予定商品が宅配ボックス装置の収納庫に収納可能であることを示す購入画面を生成する。購入画面は、購入予定商品と、全ての購入予定商品を入れた梱包材が宅配ボックス装置に占める割合を表す占有率とを含む。
【０１２３】
一方、宅配ボックス装置の収納庫に全ての購入予定商品が収納不能であると判断された場合（ステップＳ１２５でＮＯ）、ステップＳ１２８において、表示画面生成部１１８は、全ての購入予定商品が宅配ボックス装置の収納庫に収納不可能であることを示す購入画面を生成する。
【０１２４】
次に、ステップＳ１２９において、ＥＣサイト表示制御部１１１は、購入画面をユーザ端末２に表示する。全ての購入予定商品が宅配ボックス装置の収納庫に収納可能である場合、購入画面では、全ての購入予定商品が表示されるとともに、全ての購入予定商品を入れた梱包材が宅配ボックス装置に占める割合を表す占有率が表示される。一方、全ての購入予定商品が宅配ボックス装置の収納庫に収納不可能である場合、全ての購入予定商品が表示されるとともに、全ての購入予定商品が宅配ボックス装置の収納庫に収納不可能であることを示す文字情報が表示される。
【０１２５】
なお、ステップＳ１３０〜ステップＳ１３２の処理は、図１４に示すステップＳ９０〜ステップＳ９２の処理と同じであるので、説明を省略する。
【０１２６】
図２０は、本実施の形態１の第６の変形例において、購入予定商品が宅配ボックス装置の収納庫に収納可能である場合にユーザ端末に表示される表示画面の一例を示す図である。
【０１２７】
図２０に示す表示画面では、ユーザが乾電池及びドライヤを購入するため、乾電池の画像及びドライヤの画像が表示されている。また、乾電池及びドライヤを一括して配送する場合に乾電池及びドライヤが宅配ボックス装置の収納庫に収納可能であるため、宅配ボックス装置の画像とともに、乾電池及びドライヤを入れた梱包材が宅配ボックス装置に占める割合を表す占有率が表示されている。図２０では、乾電池及びドライヤを入れた梱包材が宅配ボックス装置に占める割合を表す占有率が１／２である。ＥＣサイト表示制御部１１１は、宅配ボックス装置の収納庫に商品が収納可能であるか否かの判断結果に基づいて、購入画面において宅配ボックス装置の商品による占有状態を表示させる。
【０１２８】
このとき、宅配ボックス装置の画像は、占有率が視認可能な態様で表示される。例えば、図２０では、占有率に応じた宅配ボックス装置の位置に破線の画像が重畳して表示される。なお、宅配ボックス装置の画像の表示方法については、上記のような線状の画像が宅配ボックス装置の画像に重畳して表示されるだけでなく、宅配ボックス装置の画像の占有率に応じた位置を境界とし、境界よりも上部がグレーで表示され、境界よりも下部がカラーで表示されてもよい。また、占有率に応じた大きさの梱包材（段ボール）の画像が宅配ボックス装置の画像に重畳して表示されてもよい。さらに、占有率の数値が表示されてもよい。
【０１２９】
続いて、本実施の形態１の第７の変形例における表示制御方法について説明する。本実施の形態１の第７の変形例における表示制御方法では、ＥＣサイト上に現在表示されている画面から、商品を購入するための購入画面へ遷移させる遷移指示がユーザから受け付けられ、一括して梱包した全ての購入予定商品が宅配ボックス装置の収納庫に収納可能であるか否かが判断され、全ての購入予定商品が宅配ボックス装置の収納庫に収納不可能である場合、購入予定商品の梱包方法が、一括して梱包する梱包方法から分割して梱包する梱包方法に変更される。
【０１３０】
図２１は、本実施の形態１の第７の変形例における情報提示システムの動作を示すフローチャートである。
【０１３１】
なお、ステップＳ１４１〜ステップＳ１４５の処理は、図１４に示すステップＳ８１〜ステップＳ８５の処理と同じであるので、説明を省略する。
【０１３２】
ステップＳ１４５で宅配ボックス装置の収納庫に全ての購入予定商品が収納可能であると判断された場合（ステップＳ１４５でＹＥＳ）、ステップＳ１４６において、表示画面生成部１１８は、複数の購入予定商品の梱包方法を、全ての購入予定商品を一括して梱包する梱包方法に決定する。
【０１３３】
一方、宅配ボックス装置の収納庫に全ての購入予定商品が収納不可能であると判断された場合（ステップＳ１４５でＮＯ）、ステップＳ１４７において、表示画面生成部１１８は、複数の購入予定商品の梱包方法を、複数の購入予定商品を分割して梱包する梱包方法に決定する。表示画面生成部１１８は、例えば、複数の購入予定商品を２つの梱包材に分割して梱包するように梱包方法を決定する。
【０１３４】
なお、表示画面生成部１１８は、例えば、複数の購入予定商品を３つ以上の梱包材に分割して梱包するように梱包方法を決定してもよい。また、複数の購入予定商品を複数の梱包材に分割して梱包したとしても、複数の梱包材のそれぞれが宅配ボックス装置の収納庫に収納可能であるとは限らない。そのため、判断部１１７は、複数の梱包材のそれぞれが宅配ボックス装置の収納庫に収納可能であるか否かを判断してもよい。梱包材が宅配ボックス装置の収納庫に収納不可能であると判断された場合、表示画面生成部１１８は、当該梱包材に割り当てられた複数の購入予定商品をさらに複数の梱包材に分割して梱包するように梱包方法を決定してもよい。
【０１３５】
また、同一の日に分割して梱包した商品が配送された場合、個々の梱包材は宅配ボックス装置の収納庫に収納可能であったとしても、複数の梱包材が同時に宅配ボックス装置の収納庫に収納可能であるとは限らない。そこで、分割して梱包した商品は、異なる日に配送することが好ましい。複数の購入予定商品が複数の梱包材に分割された場合、表示画面生成部１１８は、各梱包材を異なる日に配送するように決定してもよい。
【０１３６】
次に、ステップＳ１４８において、表示画面生成部１１８は、購入予定商品を表示するとともに、購入予定商品の梱包方法を表示するための購入画面を生成する。
【０１３７】
次に、ステップＳ１４９において、ＥＣサイト表示制御部１１１は、購入画面をユーザ端末２に表示する。購入画面では、購入予定商品を表示するとともに、購入予定商品の梱包方法を表示する。
【０１３８】
なお、ステップＳ１５０〜ステップＳ１５２の処理は、図１４に示すステップＳ９０〜ステップＳ９２の処理と同じであるので、説明を省略する。
【０１３９】
このように、表示画面生成部１１８は、ＥＣサイト上に現在表示されている画面から、購入画面へ遷移させる遷移指示をユーザから受け付けた際に、宅配ボックスサイズ情報と、複数の商品の配送サイズ情報とに基づいて、一括して梱包された複数の商品の全てが宅配ボックス装置の収納庫に収納可能であるか否かを判断してもよい。そして、表示画面生成部１１８は、一括して梱包された複数の商品の全てが宅配ボックス装置の収納庫に収納不可能であると判断された場合、複数の商品を梱包する際の梱包方法を複数の商品を分割して梱包する梱包方法に決定してもよい。
【０１４０】
（実施の形態２）
実施の形態２における情報提示システムについて説明する。実施の形態２における情報提示システムは、宅配ボックス装置に関する情報を管理する宅配ボックス管理サーバをさらに備える。
【０１４１】
図２２は、本実施の形態２における情報提示システムの構成を示す図である。
【０１４２】
図２２に示す情報提示システム１０１は、ＥＣサイト管理サーバ１、ユーザ端末２、宅配ボックス装置３、宅配ボックス管理サーバ４及び配送管理サーバ５を備える。ＥＣサイト管理サーバ１は、例えばＥＣ業者によって運営される。宅配ボックス管理サーバ４は、例えば宅配ボックス管理業者によって運営される。配送管理サーバ５は、例えば配送業者によって運営される。なお、ＥＣサイト管理サーバ１は、宅配ボックス管理業者又は配送業者によって運営されてもよい。また、宅配ボックス管理サーバ４は、ＥＣ業者又は配送業者によって運営されてもよい。さらに、配送管理サーバ５は、ＥＣ業者又は宅配ボックス管理業者によって運営されてもよい。
【０１４３】
なお、情報提示システム１０１は、複数のＥＣサイト管理サーバ１を備えてもよい。また、情報提示システム１０１は、複数の配送管理サーバ５を備えてもよい。
【０１４４】
ＥＣサイト管理サーバ１は、インターネット上で商品を販売するＥＣサイトに提示する情報を管理する。
【０１４５】
ユーザ端末２は、ＥＣサイト管理サーバ１によって提供されるＥＣサイトを表示し、ＥＣサイトへの情報の入力を受け付ける。
【０１４６】
宅配ボックス装置３は、配送業者によって配送される商品を収納する。宅配ボックス装置３は、インターネットを介して宅配ボックス管理サーバ４と通信可能に接続されている。宅配ボックス装置３は、不図示の収納庫、センサ、通信部及び制御部を備える。
【０１４７】
収納庫は、配送された荷物を収納する。センサは、収納庫内に荷物が存在するか否かを検知する。通信部は、センサによって検知された収納庫内に荷物が存在するか否かを示す状態情報を宅配ボックス管理サーバ４へ送信する。また、通信部は、宅配ボックス装置３を解錠する解錠指示及び宅配ボックス装置３を施錠する施錠指示を宅配ボックス管理サーバ４から受信する。制御部は、通信部によって受信された解錠指示又は施錠指示に応じて解錠又は施錠する。
【０１４８】
宅配ボックス管理サーバ４は、宅配ボックス装置３の利用状況を管理する。宅配ボックス管理サーバ４は、インターネットを介してＥＣサイト管理サーバ１、宅配ボックス装置３及び配送管理サーバ５と通信可能に接続されている。宅配ボックス管理サーバ４は、宅配ボックス装置３の現在の空き状況に関する問い合わせを配送管理サーバ５から受信する。宅配ボックス管理サーバ４は、宅配ボックス装置３の現在の空き状況を配送管理サーバ５へ送信する。さらに、宅配ボックス管理サーバ４は、宅配ボックス装置３から状態情報を受信する。宅配ボックス管理サーバ４は、解錠指示又は施錠指示を宅配ボックス装置３へ送信する。
【０１４９】
配送管理サーバ５は、通信部及び配送制御部を備える。通信部は、配送先の宅配ボックス装置３の現在の空き状況に関する問い合わせを宅配ボックス管理サーバ４へ送信する。通信部は、配送先の宅配ボックス装置３の現在の空き状況を宅配ボックス管理サーバ４から受信する。配送制御部は、配送先の宅配ボックス装置３の現在の空き状況に応じて商品を配送するか否かを決定する。
【０１５０】
図２３は、本実施の形態２におけるＥＣサイト管理サーバ、ユーザ端末及び宅配ボックス管理サーバの構成を示す図である。なお、本実施の形態２において、実施の形態１と同じ構成については同じ符号を付し、説明を省略する。
【０１５１】
ＥＣサイト管理サーバ１は、制御部１１、通信部１２及び記憶部１３を備える。制御部１１は、例えば、中央演算処理装置（ＣＰＵ）で構成され、ＥＣサイト表示制御部１１１、ユーザ登録部１１２、ユーザ情報取得部１１３、商品サイズ取得部１１４、梱包サイズ取得部１１５、宅配ボックスサイズ取得部１１６、判断部１１７、表示画面生成部１１８及び利用状況取得部１１９を備える。
【０１５２】
利用状況取得部１１９は、通信部１２を介して宅配ボックス管理サーバ４から、宅配ボックス装置３の利用状況を示す利用状況情報を取得する。
【０１５３】
宅配ボックス管理サーバ４は、記憶部４１及び通信部４２を備える。
【０１５４】
記憶部４１は、宅配ボックス装置３の利用状況を記憶する。通信部４２は、宅配ボックス装置３の利用状況に関する問い合わせをＥＣサイト管理サーバ１から受信する。通信部４２は、宅配ボックス装置３の利用状況をＥＣサイト管理サーバ１へ送信する。また、通信部４２は、宅配ボックス装置３の現在の空き状況に関する問い合わせを配送管理サーバ５から受信する。通信部４２は、宅配ボックス装置３の現在の空き状況を配送管理サーバ５へ送信する。さらに、通信部４２は、宅配ボックス装置３から状態情報を受信する。通信部４２は、解錠指示又は施錠指示を宅配ボックス装置３へ送信する。
【０１５５】
図２４は、本実施の形態２における宅配ボックス管理サーバが記憶する利用状況情報の一例を示す図である。
【０１５６】
図２４に示すように、利用状況情報は、ユーザを識別するためのユーザＩＤと、宅配ボックス装置を識別するためのボックスＩＤと、日付と、空き状況とが対応付けられている。空き状況は、宅配ボックス装置が空いているか否か、すなわち、宅配ボックス装置が予約されているか否かを示す。なお、宅配ボックス装置が複数の棚を備えている場合、棚毎に空き状況が設定される。例えば、ユーザＩＤ「ＵＩＤ００００１」及びボックスＩＤ「０００」によって特定される宅配ボックス装置は、第１の棚及び第２の棚を有しており、それぞれ個別に荷物を収納することが可能である。図２４に示す利用状況情報では、ユーザＩＤ「ＵＩＤ００００１」、ボックスＩＤ「０００」及び日付「２０１５年１月２６日」に対応する第１の棚及び第２の棚の空き状況は、共に「予約あり」となっている。
【０１５７】
なお、利用状況情報は、日付だけでなく時間帯を含んでもよい。例えば、利用状況情報は、１日を複数の時間帯に分割し、各時間帯の空き状況を含んでもよい。
【０１５８】
利用状況取得部１１９は、ユーザ情報記憶部１３１に記憶されているユーザＩＤ及びボックスＩＤを宅配ボックス管理サーバ４へ送信する。宅配ボックス管理サーバ４は、ＥＣサイト管理サーバ１からユーザＩＤ及びボックスＩＤを受信した場合、受信したユーザＩＤ及びボックスＩＤに対応する利用状況情報を読み出し、読み出した利用状況情報をＥＣサイト管理サーバ１へ送信する。利用状況取得部１１９は、宅配ボックス管理サーバ４によって送信された利用状況情報を取得する。
【０１５９】
ＥＣサイト表示制御部１１１は、取得した宅配ボックス装置の利用状況をＥＣサイト上でユーザに提示する。なお、ＥＣサイト表示制御部１１１は、判断部１１７によって宅配ボックス装置の収納庫に商品が収納可能であると判断された場合、取得した宅配ボックス装置の利用状況をＥＣサイト上でユーザに提示してもよい。
【０１６０】
また、購入画面において、ユーザにより配送日が決定された場合、又は配送可能な最も早い日など配送日が自動的に決定された場合、判断部１１７は、宅配ボックス装置のサイズに関する情報と、商品の配送サイズ情報と、宅配ボックス装置の利用状況とに基づいて、決定された配送日に宅配ボックス装置の収納庫に商品が収納可能であるか否かを判断してもよい。
【０１６１】
宅配ボックス装置に関する情報と、商品の配送サイズ情報とに基づいて、宅配ボックス装置の収納庫に商品が収納可能であるか否かが判断され、宅配ボックス装置の収納庫に商品が収納可能であると判断されたとしても、当該商品が配送される日に別の荷物が宅配ボックス装置に配送される場合、宅配ボックス装置の収納庫に商品を収納することができない可能性がある。
【０１６２】
そこで、判断部１１７は、宅配ボックス装置のサイズに関する情報と、商品の配送サイズ情報とに基づいて、宅配ボックス装置の収納庫に商品が収納可能であるか否かを判断し、宅配ボックス装置の収納庫に商品が収納可能であると判断した場合、宅配ボックス装置の利用状況に基づいて、決定された配送日に宅配ボックス装置の収納庫に商品が収納可能であるか否かを判断してもよい。
【０１６３】
なお、ＥＣサイト表示制御部１１１は、決定された配送日に宅配ボックス装置の収納庫に商品が収納不可能であると判断された場合、決定された配送日に最も近く、宅配ボックス装置の収納庫に商品を収納することが可能な他の日をＥＣサイト上でユーザに提示してもよい。
【０１６４】
また、ＥＣサイト表示制御部１１１は、ユーザがＥＣサイトを利用して商品を購入した際に、商品の配送日を宅配ボックス管理サーバ４へ送信し、ユーザの宅配ボックス装置の利用状況を更新してもよい。
【０１６５】
例えば、ユーザにより商品の購入を確定するボタンが押下された場合、ＥＣサイト表示制御部１１１は、ユーザＩＤ、ボックスＩＤ及び商品の配送日を宅配ボックス管理サーバ４へ送信する。なお、商品の配送日は、ユーザにより決定されてもよいし、配送可能な最も早い日などに決定されてもよい。宅配ボックス管理サーバ４の通信部４２は、ユーザＩＤ、ボックスＩＤ及び商品の配送日を受信し、受信したユーザＩＤ、ボックスＩＤ及び商品の配送日に対応する空き状況を更新する。
【０１６６】
このとき、受信したユーザＩＤ、ボックスＩＤ及び商品の配送日に対応する空き状況が、予約ありとなっている場合、宅配ボックス管理サーバ４の通信部４２は、宅配ボックス装置を利用できないことを示す利用不可情報をＥＣサイト管理サーバ１へ通知してもよい。ＥＣサイト管理サーバ１は、利用不可情報を受信した場合、宅配ボックス装置を利用できないことをＥＣサイト上でユーザに提示してもよい。
【０１６７】
一方、受信したユーザＩＤ、ボックスＩＤ及び商品の配送日に対応する空き状況が、予約なしとなっている場合、宅配ボックス管理サーバ４の通信部４２は、受信したユーザＩＤ、ボックスＩＤ及び商品の配送日に対応する空き状況を予約ありに変更してもよい。そして、宅配ボックス管理サーバ４の通信部４２は、宅配ボックス装置を利用できることを示す利用可能情報をＥＣサイト管理サーバ１へ通知してもよい。ＥＣサイト管理サーバ１は、利用可能情報を受信した場合、宅配ボックス装置を利用できることをＥＣサイト上でユーザに提示してもよい。
【０１６８】
このようにして、ＥＣサイト管理サーバ１は、宅配ボックス装置を予約することができる。
【０１６９】
なお、宅配ボックス装置３が宅配ボックス管理サーバ４の機能を有してもよい。この場合、ＥＣサイト管理サーバ１は、インターネットを介して宅配ボックス装置３と通信可能に接続される。
【０１７０】
また、本実施の形態２では、宅配ボックス管理サーバ４は、宅配ボックス装置３と通信可能に接続されているが、本開示は特にこれに限定されず、宅配ボックス管理サーバ４は、ＥＣサイト管理サーバ１と通信可能に接続されていればよく、宅配ボックス装置３と通信可能に接続されていなくてもよい。
【０１７１】
また、ユーザ（購入者）の宅配ボックス装置が冷蔵機能又は冷凍機能を有している場合、ＥＣサイト管理サーバ１は、商品の購入時に商品を冷蔵又は冷凍することを宅配ボックス管理サーバ４に指示してもよい。
【０１７２】
さらに、ユーザの宅配ボックス装置が複数の保存エリアを有し、各保存エリアが冷蔵状態、冷凍装置又は常温装置のいずれかに切り替えることができる場合には、宅配ボックス装置は、配送時の商品の大きさから最適な温度になるように、各保存エリアの温度を制御してもよい。例えば、冷蔵が必要な小さな荷物を収納する場合には、宅配ボックス装置の容量が小さい保存エリアを冷蔵状態にして、それ以外の保存エリアは常温状態にし、最小限の冷却エネルギーで運転する。また、冷蔵状態にする保存エリアは、配送予定日及び配送予定時間から逆算して冷蔵を開始し、配送予定時間には、最適な冷蔵状態になっている。このように、宅配ボックス装置は、一日中冷却するのではなく、冷却する時間が最小限になるように温度を制御する。また、宅配ボックス装置は、ユーザが帰宅して収納庫から荷物が取り出された後に、自動的に冷蔵をオフしてもよい。
【０１７３】
また、常温で保存する商品を冷蔵状態の保存エリアに収納した場合、商品に不具合が発生するおそれがある。そのため、常温で保存する商品が冷蔵状態の保存エリアに収納される場合には、ＥＣサイトでの購入時にユーザに事前に確認してもよい。例えば、葉物野菜は、冷やされることにより痛むおそれがある。そこで、葉物野菜が購入される際には、ＥＣサイト管理サーバ１は、ユーザ端末の表示画面上に「その日のあなたの宅配ボックスには冷蔵品の配送予定がありますが、常温品の野菜をいれてもいいですか？」と表示する。
【０１７４】
また、ＥＣサイトでユーザが商品を購入した際に、ＥＣサイト管理サーバ１は、購入した商品が配送される配送予定日を宅配ボックス管理サーバ４に送信し、宅配ボックス装置を予約する。そして、配送日当日において、宅配ボックス装置３は、宅配ボックス管理サーバ４からの指示により、宅配ボックス装置３が使用中であることを常に表示する。正規の配送業者は、例えば、宅配ボックス装置３に設けられた読取装置、又はドアフォンのカメラ又は監視カメラなどの宅配ボックス装置３に接続されたカメラにバーコードをかざした時に、宅配ボックス装置３のドアが解錠される。なお、バーコードによる認証だけではなく、配送業者の社員証又は配送業者の顔により認証してもよいし、暗証番号を事前に発行し、暗証番号の入力を受け付けることにより認証してもよい。
【０１７５】
ユーザの住居の玄関のドアノブ付近には、例えばＬＥＤ（発光ダイオード）が設けられており、宅配ボックス装置３の収納庫に荷物が収納されている場合には、当該ＬＥＤを点滅させてもよい。また、宅配ボックス装置３の収納庫に荷物が収納された場合には、ユーザのスマートフォンへプッシュ通知により通知したり、カーナビゲーション装置又はテレビに表示したりしてもよく、他の家電と連携させて宅配ボックス装置の収納庫内に荷物が収納されたことを通知してもよい。
【０１７６】
また、配送日にユーザの宅配ボックス装置が満杯であった場合には、近隣の宅配ボックス装置を配送先に指定してもよい。近隣の宅配ボックス装置とは、例えば、駅のコインロッカー、又は冷蔵コンテナ付きの自動販売機である。
【０１７７】
この場合、駅のコインロッカーなどに配送される場合には、駅のコインロッカーにワンタイムの住所を割り当ててもよい。例えば、ユーザがＥＣサイトに配送先を入力する際には、「ＸＸ駅のコインロッカーの２０番」のような設置場所に依存する固定の住所ではなく、「ユーザＸＸの第２ロッカー」のような名称が入力されればよい。実際には、第２の配送先として、ユーザの住居から最も近いコインロッカーが自動的に割り当てられる。
【０１７８】
また、互いに異なるＥＣサイトで商品を購入する場合、互いに異なるＥＣサイトで表示される宅配ボックス装置の容量は、同じになるようにする。つまり、第１のＥＣサイトで先に宅配ボックス装置の容量の５０％を占有する商品を購入した後に、第１のＥＣサイトとは異なる第２のＥＣサイトで商品を購入するときには、第２のＥＣサイトでは、すでに宅配ボックス装置の容量の５０％が使用されているように表示される。これは、宅配ボックス管理サーバによって宅配ボックス装置の利用状況が一括して管理されているためである。
【０１７９】
また、配送業者は、ユーザの住居に行かなくても、宅配ボックス装置の空き状況を宅配ボックス管理サーバに問い合わせることにより、宅配ボックス装置が空いているか否かを確認することが可能である。ただし、この場合は、配送業者は、ユーザが在宅であるか否かはわからないので、最終的にはユーザの住居に訪問する必要がある。しかしながら、確実に荷物が配送できるか否かの情報を用いることにより配送ルートを最適化することができる。また、宅配ボックス装置は、電力メータによって検出される使用電力量等を使って、ユーザが在室しているか否かを判断し、判断結果を配送業者へ通知してもよい。ただし、ユーザが在室しているか否かを示す情報は個人情報であるため、セキュリティ上の配慮が必要である。
【０１８０】
また、ユーザは、在宅しているか否かにかかわらず宅配ボックス装置へ商品を配送する旨をＥＣサイト上から設定してもよい。これにより、在宅しているが、セキュリティ上の問題により、ドアを開けたくない場合に、宅配ボックス装置に商品を配送することができる。
【０１８１】
マンションのような集合住宅の複数の住人が１つの宅配ボックス装置を共有する場合、ＥＣサイト管理サーバ１は、宅配ボックス装置の予約時に商品の取り出し期限を設定してもよい。例えば、複数の住人のうちの一人が旅行等で不在となり、宅配ボックス装置を長期間占有する場合がある。この場合、他の住人が宅配ボックス装置への配送を予約したとしても、実際には宅配ボックス装置が占有されている可能性がある。そこで、ＥＣサイト管理サーバ１は、ＥＣサイトから商品を購入する場合、ユーザの商品の取り出し期限（取り出し予定日）の入力を受け付ける。例えば、取り出し期限を一週間後に設定する場合が考えられる。その場合には、ＥＣサイト管理サーバ１は、配送日を一週間後に設定する。つまり、ＥＣサイト管理サーバ１は、配送日と取り出し予定日とが同じになるように設定する。実際の取り出し日が、取り出し予定日を超えた場合には、ＥＣサイト管理サーバ１は、ペナルティとしてユーザに課金する。そして、他のユーザによる取り出しが遅れたため商品を受け取れなかったユーザに対し、他のユーザから徴収した料金が支払われてもよい。
【０１８２】
また、ＥＣサイトでの商品購入時に、宅配ボックス装置が満杯になり配送不可能になる可能性が高いのであれば、購入時にその旨をユーザに伝えてもよい。その際に、ユーザは、自身のマンションへ配送するのか、確実に受け取るために近隣の駅又はコンビニへ配送するのかを選択してもよい。
【０１８３】
また、宅配ボックス装置は、家屋の外側と内側との両方に扉を備え、外側の扉と内側の扉とは排他的に開くことが好ましい。外側の扉と内側の扉とが同時に開かないため、配送業者に家屋内を見られることを防止することができる。
【０１８４】
また、宅配ボックス装置は、予め許可された配送業者だけが解錠可能であることが好ましい。これにより、住人のセキュリティを向上させることができる。
【０１８５】
なお、上述した具体的実施形態には以下の構成を有する開示が主に含まれている。
【０１８６】
本開示の一局面に係る情報提示方法は、インターネット上で商品を販売する電子商取引サイトに提示する情報を管理するサーバの情報提示方法であって、前記電子商取引サイトを利用するユーザを識別するための識別情報を取得し、取得された前記識別情報に対応付けられており、前記ユーザの住居に設けられた、前記電子商取引サイトで購入した商品を受け取るための宅配ボックス装置に関する情報を特定し、特定された前記宅配ボックス装置に関する情報を前記電子商取引サイト上で前記ユーザに提示する。
【０１８７】
この構成によれば、インターネット上で商品を販売する電子商取引サイトを利用するユーザを識別するための識別情報が取得される。取得された識別情報に対応付けられており、ユーザの住居に設けられた、電子商取引サイトで購入した商品を受け取るための宅配ボックス装置に関する情報が特定される。特定された宅配ボックス装置に関する情報が電子商取引サイト上でユーザに提示される。
【０１８８】
したがって、宅配ボックス装置に関する情報が電子商取引サイト上でユーザに提示されるので、ユーザは、宅配ボックス装置に関する情報を確認しながら電子商取引サイト上で商品を購入することができ、ユーザの利便性を向上させることができる。
【０１８９】
また、上記の情報提示方法において、前記電子商取引サイトで販売している商品の配送時の大きさに関する配送サイズ情報を取得し、前記宅配ボックス装置に関する情報と、取得された前記配送サイズ情報とに基づいて所定の処理を行ってもよい。
【０１９０】
この構成によれば、電子商取引サイトで販売している商品の配送時の大きさに関する配送サイズ情報が取得される。宅配ボックス装置に関する情報と、取得された配送サイズ情報とに基づいて所定の処理が行われる。したがって、宅配ボックス装置に関する情報と、配送サイズ情報とに基づいて所定の処理を行うことができる。
【０１９１】
また、上記の情報提示方法において、前記電子商取引サイトで販売している商品の大きさに関する商品サイズ情報を取得し、取得された前記商品サイズ情報に基づいて前記商品の配送時の大きさを算出してもよい。
【０１９２】
この構成によれば、電子商取引サイトで販売している商品の大きさに関する商品サイズ情報が取得され、取得された商品サイズ情報に基づいて商品の配送時の大きさが算出される。
【０１９３】
したがって、商品の大きさから商品の配送時の大きさを算出することができ、配送サイズ情報を予め記憶する必要がなく、メモリの記憶容量を削減することができる。
【０１９４】
また、上記の情報提示方法において、前記宅配ボックス装置に関する情報は、前記宅配ボックス装置の収納庫の大きさに関する宅配ボックスサイズ情報を含み、前記宅配ボックスサイズ情報と、前記商品の前記配送サイズ情報とに基づいて、前記宅配ボックス装置の前記収納庫に前記商品が収納可能であるか否かを判断してもよい。
【０１９５】
この構成によれば、宅配ボックス装置に関する情報は、宅配ボックス装置の収納庫の大きさに関する宅配ボックスサイズ情報を含む。宅配ボックスサイズ情報と、商品の配送サイズ情報とに基づいて、宅配ボックス装置の収納庫に商品が収納可能であるか否かが判断される。
【０１９６】
したがって、宅配ボックスサイズ情報と、商品の配送サイズ情報とに基づいて、宅配ボックス装置の収納庫に商品が収納可能であるか否かが判断されるので、ユーザは、商品の購入時において、商品の配送時に宅配ボックス装置が使用できるか否かを確認することができ、ユーザの利便性を向上させることができる。また、宅配ボックス装置の収納庫に商品が収納不可能である場合は、ユーザが確実に在宅する日に配送日を指定することにより、ユーザが不在であることによる配送業者の再配送を防止することができる。
【０１９７】
また、上記の情報提示方法において、前記電子商取引サイト上に現在表示されている画面から、前記商品に関する情報を表示する画面へ遷移させる遷移指示を前記ユーザから受け付けた際に、前記宅配ボックスサイズ情報と、前記商品の前記配送サイズ情報とに基づいて、前記宅配ボックス装置の前記収納庫に前記商品が収納可能であるか否かを判断してもよい。
【０１９８】
この構成によれば、電子商取引サイト上に現在表示されている画面から、商品に関する情報を表示する画面へ遷移させる遷移指示がユーザから受け付けられた際に、宅配ボックスサイズ情報と、商品の前記配送サイズ情報とに基づいて、宅配ボックス装置の収納庫に商品が収納可能であるか否かを判断することができる。
【０１９９】
また、上記の情報提示方法において、前記遷移指示は、前記電子商取引サイト上に現在表示されている画面から、前記商品を購入するための購入画面へ遷移させる遷移指示を含み、前記電子商取引サイト上に現在表示されている画面から、前記購入画面へ遷移させる遷移指示を前記ユーザから受け付けた際に、前記宅配ボックスサイズ情報と、前記商品の前記配送サイズ情報とに基づいて、前記宅配ボックス装置の前記収納庫に前記商品が収納可能であるか否かを判断してもよい。
【０２００】
この構成によれば、遷移指示は、電子商取引サイト上に現在表示されている画面から、商品を購入するための購入画面へ遷移させる遷移指示を含む。電子商取引サイト上に現在表示されている画面から、購入画面へ遷移させる遷移指示がユーザから受け付けられた際に、宅配ボックスサイズ情報と、商品の配送サイズ情報とに基づいて、宅配ボックス装置の収納庫に商品が収納可能であるか否かを判断することができる。
【０２０１】
また、上記の情報提示方法において、前記電子商取引サイト上に現在表示されている画面から、前記購入画面へ遷移させる遷移指示を前記ユーザから受け付けた際に、前記宅配ボックスサイズ情報と、前記商品の前記配送サイズ情報と、過去に前記ユーザにより購入が指示され購入予定となっている少なくとも１つの他の商品の前記配送サイズ情報とに基づいて、前記宅配ボックス装置の前記収納庫に前記商品及び前記少なくとも１つの他の商品の全てが収納可能であるか否かを判断してもよい。
【０２０２】
この構成によれば、電子商取引サイト上に現在表示されている画面から、購入画面へ遷移させる遷移指示がユーザから受け付けられた際に、宅配ボックスサイズ情報と、商品の配送サイズ情報と、過去にユーザにより購入が指示され購入予定となっている少なくとも１つの他の商品の配送サイズ情報とに基づいて、宅配ボックス装置の収納庫に商品及び少なくとも１つの他の商品の全てが収納可能であるか否かを判断することができる。
【０２０３】
また、上記の情報提示方法において、前記遷移指示は、前記電子商取引サイト上に現在表示されている画面から、前記商品の詳細な情報を表示するための詳細画面へ遷移させる遷移指示を含み、前記電子商取引サイト上に現在表示されている画面から、前記詳細画面へ遷移させる遷移指示を前記ユーザから受け付けた際に、前記宅配ボックスサイズ情報と、前記商品の前記配送サイズ情報とに基づいて、前記宅配ボックス装置の前記収納庫に前記商品が収納可能であるか否かを判断してもよい。
【０２０４】
この構成によれば、遷移指示は、電子商取引サイト上に現在表示されている画面から、商品の詳細な情報を表示するための詳細画面へ遷移させる遷移指示を含む。電子商取引サイト上に現在表示されている画面から、詳細画面へ遷移させる遷移指示がユーザから受け付けられた際に、宅配ボックスサイズ情報と、商品の配送サイズ情報とに基づいて、宅配ボックス装置の収納庫に商品が収納可能であるか否かを判断することができる。
【０２０５】
また、上記の情報提示方法において、前記遷移指示は、前記電子商取引サイト上の商品を検索するための検索画面から、検索結果を表示するための検索結果画面へ遷移させる遷移指示を含み、前記検索画面から、前記検索結果画面へ遷移させる遷移指示を前記ユーザから受け付けた際に、前記宅配ボックスサイズ情報と、検索結果として抽出された少なくとも１つの商品の前記配送サイズ情報とに基づいて、前記宅配ボックス装置の前記収納庫に前記少なくとも１つの商品が収納可能であるか否かを判断してもよい。
【０２０６】
この構成によれば、遷移指示は、電子商取引サイト上の商品を検索するための検索画面から、検索結果を表示するための検索結果画面へ遷移させる遷移指示を含む。検索画面から、検索結果画面へ遷移させる遷移指示がユーザから受け付けられた際に、宅配ボックスサイズ情報と、検索結果として抽出された少なくとも１つの商品の配送サイズ情報とに基づいて、宅配ボックス装置の収納庫に少なくとも１つの商品が収納可能であるか否かを判断することができる。
【０２０７】
また、上記の情報提示方法において、検索結果として抽出された複数の商品のうち、前記宅配ボックス装置の前記収納庫に収納可能であると判断された商品を、前記宅配ボックス装置の前記収納庫に収納不可能であると判断された商品よりも、前記検索結果画面における上位に表示させてもよい。
【０２０８】
この構成によれば、検索結果として抽出された複数の商品のうち、宅配ボックス装置の収納庫に収納可能であると判断された商品が、宅配ボックス装置の収納庫に収納不可能であると判断された商品よりも、検索結果画面における上位に表示される。
【０２０９】
したがって、宅配ボックス装置の収納庫に収納可能である商品が優先して検索結果画面に表示されるので、ユーザは、宅配ボックス装置の収納庫に収納可能である商品を容易に選択することができる。
【０２１０】
また、上記の情報提示方法において、前記宅配ボックス装置の前記収納庫に前記商品が収納可能であると判断された場合と、前記宅配ボックス装置の前記収納庫に前記商品が収納不可能であると判断された場合とで、遷移後の画面における前記商品に関する情報の表示態様を異ならせてもよい。
【０２１１】
この構成によれば、宅配ボックス装置の収納庫に商品が収納可能であると判断された場合と、宅配ボックス装置の収納庫に商品が収納不可能であると判断された場合とで、遷移後の画面における商品に関する情報の表示態様が異なるので、ユーザは、宅配ボックス装置の収納庫に収納可能である商品を容易に判別することができる。
【０２１２】
また、上記の情報提示方法において、前記宅配ボックス装置の前記収納庫に前記商品が収納可能であると判断された場合と、前記宅配ボックス装置の前記収納庫に前記商品が収納不可能であると判断された場合とで、遷移後の画面における前記商品を示す商品オブジェクトの色を異ならせてもよい。
【０２１３】
この構成によれば、宅配ボックス装置の収納庫に商品が収納可能であると判断された場合と、宅配ボックス装置の収納庫に商品が収納不可能であると判断された場合とで、遷移後の画面における商品を示す商品オブジェクトの色が異なるので、ユーザは、宅配ボックス装置の収納庫に収納可能である商品を容易に判別することができる。
【０２１４】
また、上記の情報提示方法において、遷移後の画面において、前記商品を示す商品オブジェクトと、前記商品オブジェクトの付近に前記宅配ボックス装置を示す宅配ボックスオブジェクトとを表示させ、前記宅配ボックス装置の前記収納庫に前記商品が収納可能であると判断された場合と、前記宅配ボックス装置の前記収納庫に前記商品が収納不可能であると判断された場合とで、前記宅配ボックスオブジェクトの表示態様を異ならせてもよい。
【０２１５】
この構成によれば、遷移後の画面において、商品を示す商品オブジェクトと、商品オブジェクトの付近に宅配ボックス装置を示す宅配ボックスオブジェクトとが表示される。そして、宅配ボックス装置の収納庫に商品が収納可能であると判断された場合と、宅配ボックス装置の収納庫に商品が収納不可能であると判断された場合とで、宅配ボックスオブジェクトの表示態様が異なる。したがって、ユーザは、宅配ボックス装置の収納庫に収納可能である商品を容易に判別することができる。
【０２１６】
また、上記の情報提示方法において、前記判断結果に基づいて、前記購入画面において前記宅配ボックス装置の前記商品による占有状態を表示させてもよい。
【０２１７】
この構成によれば、判断結果に基づいて、購入画面において宅配ボックス装置の商品による占有状態が表示されるので、ユーザは、商品によってどの程度宅配ボックス装置が占有されているかを確認することができる。
【０２１８】
また、上記の情報提示方法において、前記商品が前記宅配ボックス装置の前記収納庫に収納可能であると判断された場合の前記商品の配送料を、前記商品が前記宅配ボックス装置の前記収納庫に収納不可能であると判断された場合の前記商品の配送料よりも安い配送料に決定してもよい。
【０２１９】
この構成によれば、商品が宅配ボックス装置の収納庫に収納可能であると判断された場合の商品の配送料が、商品が宅配ボックス装置の収納庫に収納不可能であると判断された場合の商品の配送料よりも安い配送料に決定される。商品が宅配ボックス装置の収納庫に収納可能である場合、配送業者は、ユーザが不在であったとしても、再配送する必要がなく、再配送に必要な費用を配送料から削減することができる。したがって、商品が宅配ボックス装置の収納庫に収納可能であると判断された場合の配送料を、商品が宅配ボックス装置の収納庫に収納不可能であると判断された場合の配送料よりも安くすることができる。
【０２２０】
また、上記の情報提示方法において、前記商品は、複数の商品を含み、前記電子商取引サイト上に現在表示されている画面から、前記購入画面へ遷移させる遷移指示を前記ユーザから受け付けた際に、前記宅配ボックスサイズ情報と、前記複数の商品の前記配送サイズ情報とに基づいて、一括して梱包された前記複数の商品の全てが前記宅配ボックス装置の前記収納庫に収納可能であるか否かを判断し、一括して梱包された前記複数の商品の全てが前記宅配ボックス装置の前記収納庫に収納不可能であると判断された場合、前記複数の商品を配送する際の梱包方法を前記複数の商品を分割して梱包する梱包方法に決定してもよい。
【０２２１】
この構成によれば、商品は、複数の商品を含む。電子商取引サイト上に現在表示されている画面から、購入画面へ遷移させる遷移指示がユーザから受け付けられた際に、宅配ボックスサイズ情報と、複数の商品の配送サイズ情報とに基づいて、一括して梱包された複数の商品の全てが宅配ボックス装置の収納庫に収納可能であるか否かが判断される。そして、一括して梱包された複数の商品の全てが宅配ボックス装置の収納庫に収納不可能であると判断された場合、複数の商品を配送する際の梱包方法が複数の商品を分割して梱包する梱包方法に決定される。
【０２２２】
一括して梱包された複数の商品の全てが宅配ボックス装置の収納庫に収納不可能である場合であっても、複数の商品を分割して梱包することにより、分割された複数の商品のそれぞれが宅配ボックス装置の収納庫に収納可能である場合がある。したがって、一括して梱包された複数の商品の全てが宅配ボックス装置の収納庫に収納不可能であると判断された場合、複数の商品を配送する際の梱包方法が複数の商品を分割して梱包する梱包方法に決定されるので、分割された複数の商品のそれぞれを宅配ボックス装置の収納庫に収納することができる。
【０２２３】
また、上記の情報提示方法において、前記宅配ボックス装置の利用状況を管理する宅配ボックス管理サーバから前記宅配ボックス装置の前記利用状況を取得し、取得された前記宅配ボックス装置の前記利用状況を前記電子商取引サイト上で前記ユーザに提示してもよい。
【０２２４】
この構成によれば、宅配ボックス装置の利用状況を管理する宅配ボックス管理サーバから宅配ボックス装置の利用状況が取得され、取得された宅配ボックス装置の利用状況が電子商取引サイト上でユーザに提示される。
【０２２５】
したがって、宅配ボックス装置の利用状況が取得され、取得された宅配ボックス装置の利用状況が電子商取引サイト上でユーザに提示されるので、ユーザは、宅配ボックス装置の利用状況を確認することにより、電子商取引サイト上で購入する商品の配送日を決定することができる。
【０２２６】
また、上記の情報提示方法において、前記ユーザが前記電子商取引サイトを利用して前記商品を購入した際に、前記商品の配送日を前記宅配ボックス管理サーバへ送信し、前記ユーザの前記宅配ボックス装置の前記利用状況を更新してもよい。
【０２２７】
この構成によれば、ユーザが電子商取引サイトを利用して商品を購入した際に、商品の配送日が宅配ボックス管理サーバへ送信される。そして、ユーザの宅配ボックス装置の利用状況が更新される。したがって、ユーザが電子商取引サイトを利用して商品を購入した際に、ユーザの宅配ボックス装置の利用状況が更新されるので、他の電子商取引サイトから商品を購入する場合にも、宅配ボックス装置の利用状況を参照して商品を購入することができる。
【０２２８】
本開示の他の局面に係るサーバは、インターネット上で商品を販売する電子商取引サイトに提示する情報を管理するサーバであって、前記電子商取引サイトを利用するユーザを識別するための識別情報を取得する取得部と、取得された前記識別情報に対応付けられており、前記ユーザの住居に設けられた、前記電子商取引サイトで購入した商品を受け取るための宅配ボックス装置に関する情報を特定する特定部と、特定された前記宅配ボックス装置に関する情報を前記電子商取引サイト上で前記ユーザに提示する提示部と、を備える。
【０２２９】
この構成によれば、インターネット上で商品を販売する電子商取引サイトを利用するユーザを識別するための識別情報が取得される。取得された識別情報に対応付けられており、ユーザの住居に設けられた、電子商取引サイトで購入した商品を受け取るための宅配ボックス装置に関する情報が特定される。特定された宅配ボックス装置に関する情報が電子商取引サイト上でユーザに提示される。
【０２３０】
したがって、宅配ボックス装置に関する情報が電子商取引サイト上でユーザに提示されるので、ユーザは、宅配ボックス装置に関する情報を確認しながら電子商取引サイト上で商品を購入することができ、ユーザの利便性を向上させることができる。
【産業上の利用可能性】
【０２３１】
本開示に係る情報提示方法及びサーバは、宅配ボックス装置に関する情報を確認しながら電子商取引サイト上で商品を購入することができ、インターネット上で商品を販売する電子商取引サイトに提示する情報を管理するサーバの情報提示方法及びサーバとして有用である。
【符号の説明】
【０２３２】
１    ＥＣサイト管理サーバ
２    ユーザ端末
３    宅配ボックス装置
４    宅配ボックス管理サーバ
５    配送管理サーバ
１１    制御部
１２    通信部
１３    記憶部
２１    通信部
２２    入力部
２３    制御部
２４    表示部
４１    記憶部
４２    通信部
１００    情報提示システム
１０１    情報提示システム
１１１    ＥＣサイト表示制御部
１１２    ユーザ登録部
１１３    ユーザ情報取得部
１１４    商品サイズ取得部
１１５    梱包サイズ取得部
１１６    宅配ボックスサイズ取得部
１１７    判断部
１１８    表示画面生成部
１１９    利用状況取得部
１３１    ユーザ情報記憶部
１３２    商品情報記憶部
１３３    梱包サイズ情報記憶部
【図１】
2020080197.tif 000003
【図２】
2020080197.tif 000004
【図３】
2020080197.tif 000005
【図４】
2020080197.tif 000006
【図５】
2020080197.tif 000007
【図６】
2020080197.tif 000008
【図７】
2020080197.tif 000009
【図８】
2020080197.tif 000010
【図９】
2020080197.tif 000011
【図１０】
2020080197.tif 000012
【図１１】
2020080197.tif 000013
【図１２】
2020080197.tif 000014
【図１３】
2020080197.tif 000015
【図１４】
2020080197.tif 000016
【図１５】
2020080197.tif 000017
【図１６】
2020080197.tif 000018
【図１７】
2020080197.tif 000019
【図１８】
2020080197.tif 000020
【図１９】
2020080197.tif 000021
【図２０】
2020080197.tif 000022
【図２１】
2020080197.tif 000023
【図２２】
2020080197.tif 000024
【図２３】
2020080197.tif 000025
【図２４】
2020080197.tif 000026